(57)【要約】白色無香；白色芳香；着色無香；着色芳香；浸染無香；又は浸染芳香であるロウソクのロウを、モルホリノン化合物、オキサゾリジン化合物、イミダゾリジン化合物、ピペラジンジオン化合物又はピペラジノン化合物と、ＵＶ吸収剤及び／又は抗酸化剤との組み合わせで組み込むことにより、変色及び退色に対し有効に安定化する。【特許請求の範囲】
【請求項１】
（ａ）白色無香；白色芳香；着色無香；着色芳香；浸染無香；又は浸染芳香であるロウソクのロウ、並びに
（ｂ）（ｉ）一般式（Ｉ−１００）：
【化１】
2004523638.tif 000035
で示される部分を含有するモルホリノン化合物、
一般式（Ｉ−２００）、（II−２００）又は（III−２００）：
【化２】
2004523638.tif 000036
で示される部分を含有するオキサゾリジン化合物、
一般式（Ｉ−３００）：
【化３】
2004523638.tif 000037
で示される部分を含有するイミダゾリジン化合物、
一般式（Ｉ−４００）：
【化４】
2004523638.tif 000038
で示される部分を含有するピペラジンジオン化合物、及び
式（Ｉ−５００）：
【化５】
2004523638.tif 000039
で示される部分を含有するピペラジノン化合物からなる群より選択される化合物と、
（ii）ＵＶ吸収剤若しくは酸化防止剤、又はＵＶ吸収剤及び酸化防止剤と、の組み合わせであり、
（ｉ）の（ii）に対する重量比が１０：１〜１：１０である組み合わせ、
を含む組成物。
【請求項２】
成分（ｂ）（ｉ）の化合物が、式（Ia−１００）又は（Ib−１００）：
【化６】
2004523638.tif 000040
（式中、
ｎ100は、１又は２であり；
Ｒ101は、水素、炭素原子１〜１８個のアルキル、炭素原子５〜１２個のシクロアルキル又は炭素原子５〜１２個のシクロアルケニルであり；
Ｒ102は、Ｒ101と同じ意味を有するか；あるいはＲ102は、炭素原子１〜８個のヒドロキシアルキルでもあるか；あるいはＲ101とＲ102は一緒になって、テトラメチレン、ペンタメチレン、又はメチルで置換されているペンタメチレンであり；
Ｒ103は、Ｒ101と同じ意味を有し；
Ｒ104は、Ｒ102と同じ意味を有するか；あるいはＲ103とＲ104は一緒になって、テトラメチレン、ペンタメチレン、又はメチルで置換されているペンタメチレンであり；
Ｒ105は、水素；炭素原子１〜１８個のアルキル；ヒドロキシ、フェニル、若しくはヒドロキシとフェニルの両方で置換されている炭素原子２〜１８個のアルキル；オキシル；ヒドロキシ；炭素原子２〜１２個のシアノアルキル；炭素原子２〜１２個のシアノアルコキシ；炭素原子１〜１８個のアルコキシ；炭素原子５〜１２個のシクロアルコキシ；炭素原子３〜８個のアルケニル；炭素原子３〜８個のアルケニルオキシ；炭素原子７〜１２個のフェニルアルキル；ヒドロキシ、炭素原子１〜４個のアルキル若しくは炭素原子１〜４個のアルコキシ、又は前記アルキルと前記アルコキシの両方で置換されている炭素原子７〜１２個のフェニルアルキル；炭素原子７〜１２個のフェニルアルコキシ；炭素原子２〜８個のアルカノイル；又は置換されている２，２，６，６−テトラアルキルピペリジニル部分であり；
ｎ100が１の場合、
Ｒ106は、非置換であるか又は１〜６個のヒドロキシ若しくは−ＯＲ1基で置換されている、炭素原子１〜２４個の直鎖状又は分岐鎖状アルキルであるか、あるいはＲ106は、フェニルであり；
ｎ100が２の場合、
Ｒ106は、炭素原子２〜１２個のアルキレン、ｏ−フェニレン、ｍ−フェニレン、ｐ−フェニレン又はｐ−キシリレンであり；そして
Ｒ107は、水素であるか又はＲ101の意味を有する）
で示されるモルホリノン化合物である、請求項１記載の組成物。
【請求項３】
成分（ｂ）（ｉ）の化合物が、式（Ia−２００）、（IIa−２００）又は（IIIa−２００）：
【化７】
2004523638.tif 000041
（式中、
Ｒ201、Ｒ202、Ｒ203及びＲ204は、独立して炭素原子１〜８個のアルキルであるか、あるいはＲ201とＲ202は一緒になって、又はＲ203とＲ204は一緒になって、テトラメチレン、ペンタメチレン、又はメチルで置換されているペンタメチレンであり；
Ｒ205は、水素、オキシル、ヒドロキシ、炭素原子７〜１５個のアラルキル、炭素原子１〜２４個のアルコキシ、炭素原子１〜４２個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか、あるいはＲ205は、−ＣＯ−ＣnＨ2n+1（ここで、ｎは１〜１７である）であり、そして
Ｒ206は、炭素原子１〜８個のアルキル、１若しくは２個のヒドロキシ基で置換されている前記アルキル又は炭素原子６〜１０個のアリールである）
で示されるオキサゾリジン化合物である、請求項１記載の組成物。
【請求項４】
成分（ｂ）（ｉ）の化合物が、式（Ia−３００）：
【化８】
2004523638.tif 000042
（式中、
Ｒ301及びＲ302は、独立して炭素原子１〜８個のアルキルであるか、あるいはＲ301とＲ302は一緒になって、テトラメチレン、ペンタメチレン、又はメチルで置換されているペンタメチレンであり、そして
Ｒ303及びＲ304は、独立して水素、オキシル、ヒドロキシ、炭素原子７〜１５個のアラルキル、炭素原子１〜２４個のアルコキシ、炭素原子１〜４２個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルである）
で示されるイミダゾリン化合物である、請求項１記載の組成物。
【請求項５】
成分（ｂ）（ｉ）の化合物が、式（Ia−４００）：
【化９】
2004523638.tif 000043
（式中、
ｐ400は、１又は２であり；
ｐ400が１の場合、
Ｇ400は、炭素原子１〜１８個のアルキルであるか、−ＮＨ2、−ＯＨ、ハロゲン、−ＯＲ6又は４−ヒドロキシ−３，５−ジ−tert−ブチルフェニル若しくは４−ヒドロキシ−３，５−ジメチルフェニル、又はこれらの基の混合物で置換されているか、−Ｏ−、−ＮＨ−若しくは−ＮＲ406−又は前記基の混合物で中断されている炭素原子２〜１８個のアルキルであるか；あるいはＧ400は、−ＣＯＯＲ407又はフェニルで置換されている炭素原子１〜１８個のアルキルであり；
ｐ400が２の場合、
Ｇ400は、炭素原子２〜１０個のアルキレン、炭素原子４〜１２個のアルケニレン、１〜４個の−ＯＨで置換されている炭素原子３〜１５個のアルキレン、又は１〜４個の酸素原子で中断されている前記アルキレンであるか；あるいはＧ400は、フェニレン、Ｃ1〜Ｃ4アルキルフェニレン、−ＣＯＯ−、−ＣＯＮＨ−、下記式：
【化１０】
2004523638.tif 000044
で示される基、−ＮＨ−又は−ＮＲ406−であり；
Ｒ401、Ｒ402、Ｒ403及びＲ404は、独立して炭素原子１〜１２個のアルキル、１若しくは２個のヒドロキシ基で置換されている前記アルキルであるか、あるいはＲ401とＲ402は一緒になって、又はＲ403とＲ404は一緒になって、又はＲ401とＲ402が一緒になり、かつＲ403とＲ404が一緒になって、テトラメチレン、ペンタメチレン、又はメチルで置換されているペンタメチレンであり；
Ｒ405は、水素、オキシル、ヒドロキシ、シアノエチル、炭素原子７〜１５個のフェニルアルキル、炭素原子１〜４個のアルキル及び炭素原子１〜４個のアルコキシから選択される１〜３個の基でフェニル環が置換されている前記フェニルアルキル、炭素原子７〜１５個のフェニルアルコキシ、炭素原子１〜４個のアルキル及び炭素原子１〜４個のアルコキシから選択される１〜３個の基でフェニル環が置換されている前記フェニルアルコキシ、炭素原子５〜１２個のシクロアルコキシ、炭素原子３〜８個のアルケニル、炭素原子３〜８個のアルキニル、炭素原子１〜２４個のアルコキシ、炭素原子１〜２４個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか；あるいはＲ405は、炭素原子１〜８個のアルカノイル、炭素原子３〜５個のアルケノイル、炭素原子１〜１８個のアルカノイルオキシ、グリシジル又は基−ＣＨ2ＣＨ（ＯＨ）−Ｅ400（ここで、Ｅ400は、水素、メチル又はフェニルである）であり；
Ｘ400は、−Ｏ−、−ＮＨ−又は−ＮＲ406−であり；
Ｚ400は、−ＮＨ2、−ＮＨＲ406、−Ｎ（Ｒ406）2又は炭素原子１〜１８個のアルコキシであり；
Ｒ406は、炭素原子１〜８個のアルキルであるか、炭素原子１〜８個のアルカノイル、炭素原子５〜１２個のシクロアルキル、非置換であるか又は炭素原子１〜４個のアルキル、炭素原子１〜４個のアルコキシ若しくは前記基の混合物でフェニル環が置換されている炭素原子７〜１５個のフェニルアルキルであるか；あるいはＲ406は、−ＯＨ、炭素原子１〜１２個のアルコキシ、ベンゾフェノニル若しくはベンゾフェノニルオキシ（ここで、ベンゾフェノン部分のフェニル環の１個又は両方が、非置換であるか又は−ＯＨ、ハロゲン、炭素原子１〜４個のアルキル、炭素原子１〜４個のアルコキシ若しくはそのような基の混合物で置換されている）で置換されている、炭素原子１〜８個のアルキル又は炭素原子１〜８個のアルカノイルであり；そして
Ｒ407は、炭素原子１〜１８個のアルキルであるか、−ＮＨ2、−ＮＨＲ406、−Ｎ（Ｒ406）2、ニトロ、ヒドロキシ、炭素原子１〜１８個のアルコキシ又は前記基の混合物で置換されている炭素原子２〜１８個のアルキルであるか；あるいはＲ407は、炭素原子３〜１８個のアルケニル、炭素原子５〜１２個のシクロアルキル、又は炭素原子１〜４個のアルキルで置換されているか、若しくは−Ｏ−で中断されている前記シクロアルキルである）
で示されるピペラジンジオン化合物である、請求項１記載の組成物。
【請求項６】
成分（ｂ）（ｉ）の化合物が、式（II−５００）又は（III−５００）：
【化１１】
2004523638.tif 000045
（式中、
ｎ500は、１又は２であり；
ｐ500は、１〜１２であり；
ｎ500が１の場合、
Ｇ500は、炭素原子１〜１８個のアルキルであるか、−ＮＨ2、−ＮＨ（Ｒ506）、−ＯＨ、ハロゲン、−ＯＲ506又は４−ヒドロキシ−３，５−ジ−tert−ブチルフェニル若しくは４−ヒドロキシ−３，５−ジメチルフェニル、又はこれらの基の混合物で置換されている炭素原子２〜１８個のアルキルであるか；あるいはＧ500は、−Ｏ−、−ＣＯ−、−ＮＨ−若しくは−ＮＲ506−又は前記の基の混合物で中断されている炭素原子２〜１８個のアルキルであるか；あるいはＧ500は、−ＣＯＯＲ507又はフェニルで置換されている炭素原子１〜１８個のアルキルであり；
ｎ500が２の場合、
Ｇ500は、炭素原子２〜１０個のアルキレン、炭素原子４〜１２個のアルケニレン、１〜４個の−ＯＨで置換されている炭素原子３〜１５個のアルキレン、又は１〜４個の酸素原子で中断されている前記アルキレンであるか；あるいはＧ500は、フェニレン、Ｃ1〜Ｃ4アルキルフェニレン、−ＣＯ−（ＣＨ2）p500−ＣＯ−、−ＣＯＯ−、−ＣＯＮＨ−、下記式：
【化１２】
2004523638.tif 000046
で示される基、−ＮＨ−又は−ＮＲ506−であり；
Ｒ501、Ｒ502、Ｒ503及びＲ504は、独立して炭素原子１〜１２個のアルキル、１若しくは２個のヒドロキシ基で置換されている前記アルキルであるか、あるいはＲ501とＲ502は一緒になって、又はＲ503とＲ504は一緒になって、又はＲ501とＲ502が一緒になり、かつＲ503とＲ504が一緒になって、テトラメチレン、ペンタメチレン、又はメチルで置換されているペンタメチレンであり；
Ｒ505は、水素、オキシル、ヒドロキシ、シアノエチル、炭素原子７〜１５個のフェニルアルキル、炭素原子１〜４個のアルキル及び炭素原子１〜４個のアルコキシから選択される１〜３個の基でフェニル環が置換されている前記フェニルアルキル、炭素原子７〜１５個のフェニルアルコキシ、炭素原子１〜４個のアルキル及び炭素原子１〜４個のアルコキシから選択される１〜３個の基でフェニル環が置換されている前記フェニルアルコキシ、、炭素原子５〜１２個のシクロアルコキシ、炭素原子３〜８個のアルケニル、炭素原子３〜８個のアルキニル、炭素原子１〜２４個のアルコキシ、炭素原子１〜２４個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか；あるいはＲ505は、炭素原子１〜８個のアルカノイル、炭素原子３〜５個のアルケノイル、炭素原子１〜１８個のアルカノイルオキシ、グリシジル又は基−ＣＨ2ＣＨ（ＯＨ）−Ｅ500（ここで、Ｅ500は、水素、メチル又はフェニルである）であり；
Ｘ500は、−Ｏ−、−ＮＨ−又は−ＮＲ506−であり；
Ｚ500は、−ＮＨ2、−ＮＨＲ506、−Ｎ（Ｒ506）2又は炭素原子１〜１８個のアルコキシであり；
Ｒ506は、炭素原子１〜８個のアルキルであるか、炭素原子１〜８個のアルカノイル、炭素原子５〜１２個のシクロアルキル、非置換であるか又は炭素原子１〜４個のアルキル、炭素原子１〜４個のアルコキシ若しくは前記基の混合物でフェニル環が置換されている炭素原子７〜１５個のフェニルアルキルであるか；あるいはＲ506は、−ＯＨ、炭素原子１〜１２個のアルコキシ、ベンゾフェノニル若しくはベンゾフェノニルオキシ（ここで、ベンゾフェノン部分のフェニル環の１個又は両方が、非置換であるか又は−ＯＨ、ハロゲン、炭素原子１〜４個のアルキル、炭素原子１〜４個のアルコキシ若しくはそのような基の混合物で置換されている）で置換されている、炭素原子１〜８個のアルキル又は炭素原子１〜８個のアルカノイルであり；
Ｒ507は、水素、炭素原子１〜１８個のアルキルであるか、−ＮＨ2、−ＮＨＲ506、−Ｎ（Ｒ506）2、ニトロ、ヒドロキシ、炭素原子１〜１８個のアルコキシ又は前記基の混合物で置換されている炭素原子２〜１８個のアルキルであるか；あるいはＲ507は、炭素原子３〜１８個のアルケニル、炭素原子５〜１２個のシクロアルキル、又は炭素原子１〜４個のアルキルで置換されているか、若しくは−Ｏ−で中断されている前記シクロアルキルであるか；あるいはＲ507は、フェニル又は炭素原子７〜１５個のフェニルアルキルであり；そして
Ｒ508は、炭素原子１〜１２個のアルキル又は炭素原子３〜１２個のシクロアルキルである）
で示されるピペラジノン化合物である、請求項１記載の組成物。
【請求項７】
式（Ia−２００）、（IIa−２００）又は（IIIa−２００）の化合物において、Ｒ201、Ｒ202、Ｒ203及びＲ204が、それぞれメチルであるか、又はＲ201とＲ202が一緒になり、かつＲ203とＲ204が一緒になって、ペンタメチレンである、請求項３記載の組成物。
【請求項８】
式（Ia−３００）の化合物において、Ｒ301及びＲ302が、それぞれメチルであるか、又はＲ301とＲ302が一緒になって、ペンタメチレンである、請求項４記載の組成物。
【請求項９】
式（Ia−４００）の化合物において、Ｒ401、Ｒ402、Ｒ403及びＲ404が、それぞれメチルであるか、又はＲ401とＲ402が一緒になり、かつＲ403とＲ404が一緒になって、ペンタメチレンである、請求項５記載の組成物。
【請求項１０】
式（II−５００）又は（III−５００）の化合物において、Ｒ501、Ｒ502、Ｒ503及びＲ504が、それぞれメチルであるか、又はＲ501とＲ502が一緒になり、かつＲ503とＲ504が一緒になって、ペンタメチレンである、請求項６記載の組成物。
【請求項１１】
式（II−５００）又は（III−５００）の化合物において、Ｒ505が、水素又はメチルである、請求項６記載の組成物。
【請求項１２】
式（III−５００）の化合物において、Ｒ508が、ｎ−ブチル又はシクロヘキシルである、請求項６記載の組成物。
【請求項１３】
モルホリノン化合物が、
（ａ−１００）５−ヒドロキシメチル−３，３，５−トリメチル−２−モルホリノン、
（ｂ−１００）５−ドデカノイルオキシメチル−３，３，５−トリメチル−２−モルホリノン、
（ｃ−１００）５−（２−エチルヘキサノイルオキシメチル）−３，３，５−トリメチル−２−モルホリノン、
（ｄ−１００）５，５′−ビス（デカンジオイルオキシメチル−３，３，５−トリメチル−２−モルホリノン）、
（ｅ−１００）Ｎ−（２，２，６，６−テトラメチルピペリジン−４−イル）テトラヒドロ−１，４−オキサジン−２−オン、
（ｆ−１００）Ｎ−（１，２，２，６，６−ペンタメチルピペリジン−４−イル）テトラヒドロ−６−メチル−１，４−オキサジン−２−オン、
（ｇ−１００）Ｎ−（１−アセチル−２，２，６，６−テトラメチルピペリジン−４−イル）−３−ｎ−テトラデシル−テトラヒドロ−１，４−オキサジン−２−オン、
（ｈ−１００）３，３−ペンタメチレン−５，５−ジメチル−２−モルホリノン、
（ｉ−１００）３，３，４−トリメチル−５−エチル−５−ヒドロキシメチル−２−モルホリノン、
（ｊ−１００）３，３，５，５−テトラメチル−４−オキシル−２−モルホリノン、
（ｋ−１００）３，３−ジエチル−５，５−ジメチル−４−ヒドロキシ−２−モルホリノン、
（ｌ−１００）３，３，５，５−テトラメチル−４−（α−メチルベンジル）−２−モルホリノン、
（ｍ−１００）３，３，５，５−テトラメチル−４−（α−メチルベンジルオキシ）−２−モルホリノン、
（ｎ−１００）Ｎ−（２−ヒドロキシエチル）−３，３，５，５−テトラメチル−２−モルホリノン、
（ｏ−１００）３，３，４，５−テトラメチル−５−（オクタデカノイルオキシメチル）−２−モルホリノン、又は
（ｐ−１００）ビス（３，３，４，５−テトラメチル−２−モルホリノン−５−イルメチル）テレフタラートであり、
オキサゾリジン化合物が、
（ａ−２００）３，３−ジメチル−１−オキサ−４−アザスピロ〔４．５〕デカン、
（ｂ−２００）２，２，４，４−テトラメチル−１，３−オキサゾリジン、
（ｃ−２００）２，２，１１，１１−テトラメチル−３，９−ジオキサ−ジスピロ〔４．２．４．２〕テトラデカン、
（ｄ−２００）３，３−ジメチル−１−オキサ−４−オキシル−４−アザスピロ〔４．５〕デカン、
（ｅ−２００）３，３−ジメチル−１−オキサ−４−ヒドロキシ−４−アザスピロ〔４．５〕デカン、
（ｆ−２００）３，３−ジメチロール−１−オキサ−４−アザスピロ〔４．５〕デカン、
（ｇ−２００）２，３，３−トリメチル−１−オキサ−４−アザスピロ〔４．５〕デカン、
（ｈ−２００）３，３−ジ（２−ヒドロキシエチル）−１−オキサ−４−アザスピロ〔４．５〕デカン、
（ｉ−２００）４−エチル−２−イソプロピルオキサゾリジン、
（ｊ−２００）１−アザ−３，７−ジオキサ−２，８−ジイソプロピル−５−エチルビシクロ〔３．３．０〕オクタン、
（ｋ−２００）３−アセチル−４，４−ジメチル−２−（３−アミル）オキサゾリジン、
（ｌ−２００）３−アセチル−４−エチル−２−フェニルオキサゾリジン、
（ｍ−２００）Ｎ−（２−ヒドロキシエチル）−２，２′−ジエチル−４，４′−ジメエチル−１，３−オキサゾリジン、
（ｎ−２００）１−アザ−３，７−ジオキサ−２，８−ジフェニル−５−メチロールビシクロ〔３．３．０〕オクタン、又は
（ｏ−２００）１−アザ−３，７−ジオキサ−２，８−ジ−ｎ−プロピル−５−メチロールビシクロ〔３．３．０〕オクタンであり、
イミダゾリン化合物が、
（ａ−３００）２，２−ペンタメチレン−５，５−ペンタメチレン−イミダゾリジン−４−オン、
（ｂ−３００）２，２−ペンタメチレン−５，５−ペンタメチレン−イミダゾリジン−４−オン−１−オキシル、
（ｃ−３００）２，２，５，５−テトラメチル−４−オキソイミダゾリン−１−オキシル、
（ｄ−３００）２，５−ジメチル−２，５−ジイソブチル−４−オキソイミダゾリン−１−オキシル、
（ｅ−３００）（２，２，６，６−テトラメチルピペリジン−１−オキシル）−４−スピロ−２′−（４−オキソイミダゾリン−１−オキシル）−５′−スピロ−４−（２，２，６，６−テトラメチルピペリジン−１−オキシル）、
（ｆ−３００）２，５−ジメチル−２，５−ジエチル−４−オキソイミダゾリン−１−オキシル、
（ｇ−３００）２，２−〔（１−メチル）−１，５−ペンタンジイル〕−５，５−〔（１−メチル）−１，５−ペンタンジイル〕イミダゾリジン−４−オン−１−オキシル、
（ｈ−３００）２，２，５，５−テトラメチル−１−（２−ヒドロキシエチル）イミダゾリン−４−オン、
（ｊ−３００）ビス〔２−（２，２，５，５−テトラメチル−４−オキソ−イミダゾリン−１−イル）エチル〕セバカート、
（ｊ−３００）２，２，５，５−テトラメチル−１−メチル−３−（２−ヒドロキシエチル）イミダゾリン−４−オン、
（ｋ−３００）２，２，５，５−テトラメチル−１−メチル−３−〔Ｈ（ＯＣＨ2ＣＨ2）x〕イミダゾリン−４−オン（ここで、ｘは２〜２１である）、
（ｌ−３００）２，２，５，５−テトラメチル−１−メチル−３−〔ヘプタデシルカルボニル（ＯＣＨ2ＣＨ2）x〕イミダゾリン−４−オン（ここで、ｘは２〜２１である）、
（ｍ−３００）２，２，５，５−テトラメチル−１−メチル−３−〔４−ヒドロキシ−３，５−ジ−tert−ブチルベンゾイル（ＯＣＨ2ＣＨ2）x〕イミダゾリン−４−オン（ここで、ｘは２〜２１である）、
（ｎ−３００）２，２，５，５−テトラメチル−１−メチル−３−〔２−（ヘプタデシルカルボニルオキシエチル）〕イミダゾリン−４−オン、
（ｏ−３００）２，２，５，５−テトラメチル−３−メチル−１−〔２−（ヘプタデシルカルボニルオキシエチル）〕イミダゾリン−４−オン、
（ｐ−３００）１：１のメタクリル酸メチルとアクリル酸エチルのコポリマーと３−ヒドロキシエチル−２，２，５，５−テトラメチルイミダゾリジン−４−オンとのエステル交換反応生成物、又は
（ｑ−３００）２：１のメタクリル酸メチルとアクリル酸エチルのコポリマーと３−ヒドロキシエチル−２，２，５，５−テトラメチルイミダゾリジン−４−オンとのエステル交換反応生成物であり、
ピペラジンジオン化合物が、
（ａ−４００）４−（３，５−ジメチル−４−ヒドロキシベンジル）−２，２，６，６−テトラメチル−３，５−ジケトピペラジン、
（ｂ−４００）１５−ｎ−オクタデシル−７，１５−ジアザジスピロ〔５．１．５．３〕ヘキサデカン−１４，１６−ジオン、
（ｃ−４００）１５−ベンジル−７，１５−ジアザジスピロ〔５．１．５．３〕ヘキサデカン−１４，１６−ジオン、
（ｄ−４００）４−ｎ−オクタデシル−２，２，６，６−テトラメチル−３，５−ジケトピペラジン、
（ｅ−４００）４，４′−ｎ−オクタメチレン−ビス（２，２，６，６−テトラメチル−３，５−ジケトピペラジン、
（ｆ−４００）１５−ｎ−オクタデシル−１，９−ジメチル−７，１５−ジアザジスピロ〔５．１．５．３〕ヘキサデカン−１４，１６−ジオン、
（ｇ−４００）３，３，５，５−テトラメチル−４−オクチルオキシ−１−（４−ヒドロキシ−３，５−ジ−tert−ブチルベンジルピペラジン−２，６−ジオン、
（ｈ−４００）３，３，５，５−テトラメチル−４−アセチル−１−（４−ヒドロキシ−３，５−ジ−tert−ブチルベンジルピペラジン−２，６−ジオン、
（ｉ−４００）テトラメチレンビス〔４−（３，３，４，５，５−ペンタメチルピペラジン−２，６−ジオン−１−イル）ブチラート〕
（ｊ−４００）３，３，５，５−テトラメチル−４−ヒドロキシ−１−オクチルピペラジン−２，６−ジオン、
（ｋ−４００）１，３，３，５，５−ペンタメチル−４−オキシルピペラジン−２，６−ジオン、又は
（ｌ−４００）３，３，４，５，５−ペンタメチル−１−（エトキシカルボニルメチル）ピペラジン−２，６−ジオンであり、そして
ピペラジノン化合物が、
（ａ−５００）１，３，５−トリス｛Ｎ−シクロヘキシル−Ｎ−〔２−（２，２，６，６−テトラメチルピペラジン−３−オン−４−イル）エチル〕アミノ｝−ｓ−トリアジン、
（ｂ−５００）１，３，５−トリス｛Ｎ−シクロヘキシル−Ｎ−〔２−（１，２，２，６，６−ペンタメチルピペラジン−３−オン−４−イル）エチル〕アミノ｝−ｓ−トリアジン、
（ｃ−５００）１，２−エタン−ビス（３，３，５，５−テトラメチルピペラジン−２−オン−１−イル）、
（ｄ−５００）７−メチル−７，１５−ジアザジスピロ〔５．１．５．３〕ヘキサデカン−１４−オン、
（ｅ−５００）１，３，３，５，５−ペンタメチル−４−（２−ヒドロキシエチル）−２−ケトピペラジン、
（ｆ−５００）３，３，５，５−テトラメチル−４−オクチルオキシ−１−オクチル−２−ケトピペラジン、
（ｇ−５００）１，３，３，５，５−ペンタメチル−４−オキシル−２−ケトピペラジン、
（ｈ−５００）３，３，４，５，５−ペンタメチル−１−（２−ヒドロキシエチル）ピペラジン−２−オン、
（ｉ−５００）３，３，５，５−テトラメチル−４−シクロヘキシルオキシ−１−〔２−（ドデカノイルオキシ）エチル〕ピペラジン−２−オン、
（ｊ−５００）ビス〔２−（４−シクロヘキシルオキシ−３，３，５，５−テトラメチル−２−ケトピペラジン−１−イル）エチル〕セバカート、又は
（ｋ−５００）４−オクチルオキシ−３，３，５，５−テトラメチル−１−オクタデシルピペラジン−２−オンである、請求項１記載の組成物。
【請求項１４】
成分（ｉ）及び（ii）の総量が、ロウに基づき０．０１〜１０重量％である、請求項１記載の組成物。
【請求項１５】
成分（ii）のＵＶ吸収剤が、ベンゾトリアゾール、ベンゾフェノン、α−シアノアクリラート、オキサニリド、ｓ−トリアジン、シンナマート、マロナート、ベンゾアート若しくはサリチラート又はこれらの混合物である、請求項１記載の組成物。
【請求項１６】
ＵＶ吸収剤が、
（ａ）４−オクチルオキシ−２−ヒドロキシベンゾフェノン、
（ｂ）４−メトキシ−２−ヒドロキシベンゾフェノン、
（ｃ）２−（２−ヒドロキシ−５−メチルフェニル）−２Ｈ−ベンゾトリアゾール、
（ｄ）２−（２−ヒドロキシ−５−tert−オクチルフェニル）−２Ｈ−ベンゾトリアゾール、
（ｅ）２−（２−ヒドロキシ−３，５−ジ−tert−アミルフェニル）−２Ｈ−ベンゾトリアゾール、
（ｆ）オクチル  ３−（ベンゾトリアゾール−２−イル）−５−tert−ブチル−４−ヒドロキシヒドロシンナマート、
（ｇ）２−（２−ヒドロキシ−３，５−ジ−tert−ブチルフェニル）−２Ｈ−ベンゾトリアゾール、
（ｈ）２−（２−ヒドロキシ−５−tert−ブチルフェニル）−２Ｈ−ベンゾトリアゾール、
（ｉ）５−クロロ−２−（２−ヒドロキシ−３，５−ジ−tert−ブチルフェニル）−２Ｈ−ベンゾトリアゾール、
（ｊ）５−クロロ−２−（２−ヒドロキシ−３−tert−ブチル−５−メチルフェニル）−２Ｈ−ベンゾトリアゾール、
（ｋ）２−（２−ヒドロキシ−３−sec−ブチル−５−tert−ブチルフェニル）−２Ｈ−ベンゾトリアゾール、
（ｌ）２−（２−ヒドロキシ−４−オクチルオキシフェニル）−２Ｈ−ベンゾトリアゾール、
（ｍ）２−（２−ヒドロキシ−３−ドデシル−５−メチルフェニル）−２Ｈ−ベンゾトリアゾール、
（ｎ）２−〔２−ヒドロキシ−３，５−ジ（α，α−ジメチルベンジル）フェニル〕−２Ｈ−ベンゾトリアゾール、
（ｏ）２−〔２−ヒドロキシ−３−（α，α−ジメチルベンジル）−５−tert−オクチルフェニル〕−２Ｈ−ベンゾトリアゾール、
（ｐ）２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール、
（ｑ）２−｛２−ヒドロキシ−３−tert−ブチル−５−〔２−（オクチルオキシ）カルボニル）エチル〕フェニル｝−２Ｈ−ベンゾトリアゾール、
（ｒ）２−エチルヘキシルｐ−メトキシシンナマート、
（ｓ）４−メトキシ−２，２′−ジヒドロキシベンゾフェノン、
（ｔ）４，４′−ジメトキシ−２，２′−ジヒドロキシベンゾフェノン、
（ｕ）２，４−ビス（２，４−ジメチルフェニル）−６−（２−ヒドロキシ−４−オクチルオキシフェニル）−ｓ−トリアジン、
（ｖ）２，４−ジフェニル−６−（２−ヒドロキシ−４−ヘキシルオキシフェニル）−ｓ−トリアジン、
（ｗ）２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン、
（ｘ）２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン、
（ｙ）２，４，６−トリス（２，４−ジヒドロキシフェニル）−ｓ−トリアジンとオクチルα−ハロアセタートとの反応生成物、又は
（ｚ）３，３；３，５；５，５−メチレン−ビス〔２，４−ビス（２，４−ジメチルフェニル）〕−６−〔２−ヒドロキシ−４−（３−ブトキシ−２−ヒドロキシプロポキシフェニル）〕−ｓ−トリアジンの混合物である、請求項１記載の組成物。
【請求項１７】
酸化防止剤が、フェノール系酸化防止剤、ホスファイト、ニトロン、アミンオキシド若しくはヒドロキシルアミン又はこれらの混合物である、請求項１記載の組成物。
【請求項１８】
酸化防止剤が、
（ａ′）ｎ−オクタデシル３，５−ジ−tert−ブチル−４−ヒドロキシヒドロシンナマート、
（ｂ′）ネオペンタンテトライルテトラキス（３，５−ジ−tert−ブチル−４−ヒドロキシヒドロシンナマート）、
（ｃ′）ジ−ｎ−オクタデシル３，５−ジ−tert−ブチル−４−ヒドロキシベンジルホスホナート、
（ｄ′）１，３，５−トリス（３，５−ジ−tert−ブチル−４−ヒドロキシベンジル）イソシアヌラート、
（ｅ′）チオジエチレンビス（３，５−ジ−tert−ブチル−４−ヒドロキシヒドロシンナマート）、
（ｆ′）  １，３，５−トリメチル−２，４，６−トリス（３，５−ジ−tert−ブチル−４−ヒドロキシベンジル）ベンゼン、
（ｇ′）３，６−ジオキサオクタメチレンビス（３−メチル−５−tert−ブチル−４−ヒドロキシヒドロシンナマート）、
（ｈ′）２，６−ジ−tert−ブチル−ｐ−クレゾール、
（ｉ′）２，２′−エチリデン−ビス（４，６−ジ−tert−ブチルフェノール）、
（ｊ′）１，３，５−トリス（２，６−ジメチル−４−tert−ブチル−３−ヒドロキシベンジル）イソシアヌラート、
（ｋ′）１，１，３−トリス（２−メチル−４−ヒドロキシ−５−tert−ブチルフェニル）ブタン、
（ｌ′）１，３，５−トリス〔２−（３，５−ジ−tert−ブチル−４−ヒドロキシヒドロシンナモイルオキシ）エチル〕イソシアヌラート、
（ｍ′）３，５−ジ（３，５−ジ−tert−ブチル−４−ヒドロキシベンジル）メシトール、
（ｎ′）ヘキサメチレンビス（３，５−ジ−tert−ブチル−４−ヒドロキシヒドロシンナマート）、
（ｏ′）１−（３，５−ジ−tert−ブチル−４−ヒドロキシアニリノ）−３，５−ジ（オクチルチオ）−ｓ−トリアジン、
（ｐ′）Ｎ，Ｎ′−ヘキサメチレンビス（３，５−ジ−tert−ブチル−４−ヒドロキシヒドロシンナムアミド）、
（ｑ′）カルシウムビス（エチル３，５−ジ−tert−ブチル−４−ヒドロキシベンジルホスホナート）、
（ｒ′）エチレンビス〔３，３−ジ（３−tert−ブチル−４−ヒドロキシフェニル）ブチラート〕、
（ｓ′）オクチル３，５−ジ−tert−ブチル−４−ヒドロキシベンジルメルカプトアセタート、
（ｔ′）ビス（３，５−ジ−tert−ブチル−４−ヒドロキシヒドロシンナモイル）ヒドラジド、
（ｕ′）Ｎ，Ｎ−ジ（Ｃ14〜Ｃ24アルキル）−Ｎ−メチルアミンオキシド、又は
（ｖ′）ジ（水素化牛脂）アミンを直接酸化することにより調製したＮ，Ｎ−ジアルキルヒドロキシルアミンである、請求項１記載の組成物。
【発明の詳細な説明】
【技術分野】
【０００１】
本発明は、ＵＶ吸収剤及び／又は酸化防止剤と組み合わせて、モルホリノン、オキサゾリジン、イミダゾリジン、ピペラジンジオン又はピペラジノンを組み込むことにより、変色及び退色に対して実質的に安定化されている、白色、着色、浸染、無香及び／又は芳香ロウソクのロウに関する。
【０００２】
ロウソクは、紀元前８世紀に遡ること数十世紀にわたり知られている。ロウソクの性質は、Ullmann's Encyclopedia of Industrial Chemistry, Volume A5、29-30頁に記載され、そこでは、ロウソクが基本材料としてパラフィン、ミツロウ及びステアリンから製造され、そして添加剤の一群も存在できることが示されている。
【０００３】
ロウソク及びロウの重要性が高まるにしたがい、どのようにして前記の材料を安定化するかが注目されたことは驚くべきことではない。１９９４年のヒューストンにおける全国ロウソク協会会議（National Candle Association Meeting）で、 R. van der Vennetが"Antioxidants in Wax - Replacement of BHT" と題する論文を発表し、ロウが酸化した場合の黄変を防ぐ酸化防止剤としてビタミンＥ（トコフェロール）の使用を大いに推奨した。ＷＯ９４／１３７３６は、同じ発明を記載している。
【０００４】
ＥＰ３５９，４８８Ａ３及びＥＰ１３３，９６４Ｂ１は、ロウがロウソクに使用されているものと同一又は同様である、化粧品に使用されている安定化されたロウを記載している。
【０００５】
ＥＰ５，９２２Ａ１は、ロウが口紅に有用であり、ロウソクに有用なものと関連する、唇用化粧品を記載している。
【０００６】
米国特許第５，８７９，６９４号は、透明なゲルキャンドル（gel candles）の組成及び構造の両方を詳細に記載している。酸化防止剤としてＢＨＴの使用が記載されている。
【０００７】
１９９８年４月１６日の全国ロウソク協会技術会議（National Candle Association Technical Meeting）において、F. A. Ballentineらが、"Inhibiting Color Fading of Dyed Candles with CYASORB（登録商標） Light Absorbers"と題する論文を発表し、そこで、着色ロウソクのロウの色安定性に対する光吸収剤の効果に関するデータと共に、熱酸化及び光崩壊の一般理論が議論された。比較された光吸収剤は、４−オクチルオキシ−２−ヒドロキシベンゾフェノンＵＶ−５３１；４−メトキシ−２−ヒドロキシベンゾフェノンＵＶ−９；２−（２−ヒドロキシ−５−メチルフェニル−２Ｈ−ベンゾトリアゾールＵＶ−５３６５：２−（２−ヒドロキシ−５−tert−オクチルフェニル）−２Ｈ−ベンゾトリアゾールＵＶ−５４１１及び２−（２−ヒドロキシ−３，５−ジ−tert−アミルフェニル）−２Ｈ−ベンゾトリアゾールＵＶ−２３３７である。
【０００８】
米国特許第５，９６４，９０５号は、トリブロックコポリマー及び高引火点の炭化水素油を含有する着色芳香ロウソクゲルを教示している。この文献は、可視光線又は紫外線に曝露された場合、ロウソクの色の保存性を向上させるために光（ＵＶ）吸収剤が使用され得ることを教示している。２個の好ましい吸収剤は、エチルヘキシル  ｐ−メトキシシンナマート(PARSOL（登録商標）MCX、Roche社製)及び２−（２−ヒドロキシ−５−tert−オクチルフェニル）−２Ｈ−ベンゾトリアゾール（CYASORB（登録商標）5411、Cytec社製)である。
【０００９】
ＷＯ００／２２０３７は、ロウソクを含む、固体であり、造形され、色付きロウ物品を、場合によりマロナート化合物構造の一部としてヒンダードアミンを含有してもよいマロナートＵＶ吸収剤を使用して、安定化することを教示している。ロウ物品は種々の油溶性染料及び顔料により着色されている。ジメチルｐ−メトキシベンジリジンマロナートにより保護されているサンプルは、選択されたベンゾトリアゾール又はベンゾフェノンＵＶ吸収剤により安定化されているサンプルよりも変色に対して良好な耐性を示した。
【００１０】
特公平３−２７８５５４号は、有機顔料で色付けされているロウクレヨン（製図用品）がヒンダードアミン及び／又はベンゾトリアゾールで安定化されうることを教示している。
【００１１】
ロウ安定化に関して、選択されたヒンダードアミン及び／又はベンゾトリアゾールＵＶ吸収剤を使用することは、米国特許第３，５３０，０８４号、第４，３７９，７２１号、第４，６１６，０５１号及び第５，９６４，９０５号で見られるように当該技術においても知られている。
【００１２】
米国特許第４，５４７，５３７号は、ポリオレフィン類及び他のポリマー基質の安定化剤として、置換ピペリジニルヒンダードアミン基に結合しているテトラヒドロ−１，４−オキサジン−２−オン部分を教示している。
【００１３】
米国特許第４，７９７，４５１号及び第４，８５３，４４０号は、とりわけモルホリノン部分がポリマー主鎖に反応している、ポリブタジエン又はポリイソプレンのようなパラフィン系ポリマーを記載している。
【００１４】
米国特許第４，５２８，３７０号、第４，９１４，２３２号及び第５，０８９，６１４号は、光安定剤として有用なモルホリノン化合物を記載している。
【００１５】
ＷＯ９８／４４００８は、とりわけ選択されたモルホリノンベースのニトロキシド基を使用する、制御されたラジカル重合法を記載している。
【００１６】
ＷＯ００／３９２０９は、多分散性を有し、そしてとりわけペンダントモルホリノン基を有する、高分子安定剤を教示している。
【００１７】
ＷＯ９９／４６２６１は、ラジカル重合の開始剤として、グリシジル又はアルキルカルボニル基を有するニトロキシル誘導体を記載している。そのようなニトロキシル誘導体の幾つかは、モルホリノン基も含有することができる。
【００１８】
ドイツ国公開公報第ＤＥ１９８４５２９８Ａ１号は、ラジカル重合に有用なモルホリノン誘導体のＮ−オキシルラジカルを記載している。
【００１９】
英国公開公報第２，３４２，６４９Ａ号は、制御されたラジカル重合法における調節剤として複素環アルコキシアミン、とりわけモルホリノン部分を含有する分子を含むものを記載している。
【００２０】
ＷＯ９９／１４２０６は、有機材料、特にコーティング用の光安定剤として、モルホリノン化合物を記述している。
【００２１】
ＷＯ００／１４１７７は、そのうちの幾つかがオキサゾリジン部分を含んでもよいヒンダードヒドロキシルアミンを使用する、ビニルモノマー重合の阻害を教示している。これらの化合物のうちのいずれもロウソクのロウの安定剤となりえることは、示唆されていない。
【００２２】
米国特許第４，１２５，５１８号及び第４，１０４，２５４号は、１−オキサ−４−アザスピロ〔４．５〕デカン及び他のオキサゾリジン分子が、ポリプロピレンのようなポリオレフィン類の有用な光安定剤であることを教示している。
【００２３】
米国特許第５，２６４，１４８号及び第５，２２３，１７４号は、残留水分が問題となる湿気硬化ポリウレタンコーティング系又は他のあらゆる水に鋭敏な系から、特に能率的であり、費用対効果があり、そして間違いなく水分を除去することを目的とする、湿気を捕そくする特性を有する種々の単環式及び二環式オキサゾリジン化合物を記載している。
【００２４】
米国特許第３，７０７，５４１号及び第３，８２５，５５５号は、防虫剤としてオキサゾリジン及びテトラヒドロオキサジン化合物を使用することを記載している。
【００２５】
米国特許第４，０１７，４０６号、第４，１１６，６４３号及び第４，３６９，１１８号は、潤滑油、ガソリン、中沸留分燃料油及び他の油性生成物用の添加物として、オキサゾリン化合物、及び１−アザ−３，７−ジオキサビシクロ〔３．３．０〕オクタ−５−イルメチルアルコールのカルボキシラート半エステルのアミン塩を記載している。
【００２６】
米国特許第５，００１，２３３号は、ジオキシランを使用するヒドロキシルアミンの合成を教示している。オキサゾリジン部分の存在を有する環状ヒドロキシルアミンが開示されている。
【００２７】
米国特許第５，３２８，６３５号及び第５，４３３，８９１号は、腐蝕抑制剤、湿気又はホルムアルデヒド捕そく剤、乾燥剤等として有用である、イミノアルコール−オキサゾリジン混合物を開示している。
【００２８】
ＷＯ９８／１１１８１は、オキサゾリジンに関連し、酸化防止剤であり、ヒドロペルオキシラジカルを生成することができる酸化防止剤ブースター（antioxidant boosters）である、置換オキサゾリンを開示している。
【００２９】
ＷＯ９９／０５１０８は、とりわけ置換オキサゾリジン又はその塩を使用して、リグニンを含有するパルプ又は紙の黄変を抑制することを教示している。
【００３０】
イミダゾリジンは、種々の基質の安定化剤として知られている。英国特許第１，１４５，４７０号は、２，２，５，５−テトラメチル−４−オキソイミダゾリジン−１−オキシドのようなアルキル化４−オキソイミダゾリジン−１−オキシドを使用するポリオレフィン類の安定化を教示している。
【００３１】
米国特許第４，４４８，９６９号は、合成ポリマー、特にポリオレフィン類を安定化する、２，２，５，５−テトラメチルイミダゾリジン−４−オンの環状エーテル又は環状カルボナートアルキル化物の使用を開示している。
【００３２】
米国特許第４，８０４，７１７号及び第４，８９５，９０１号は、高分子ヒンダードアミン光安定剤が、３−ヒドロキシ−２，２，５，５−テトラメチルイミダゾリジン−４−オンから誘導される少量のペンダント部分を含有するオレフィン、スチレン及びアクリラートポリマーの安定化に有用であることを教示している。
【００３３】
ヨーロッパ特許明細書３１３，９４１Ｂ１は、１−オキシル−２，２，５，５−テトラメチルイミダゾリジン−４−オンを使用する、ホトクロミック染料の安定化を記載している。
【００３４】
米国特許第６，０２０，４９１号は、一群の基質のための殺生剤及び消毒剤として、モノマー環状アミン及びポリマー環状アミン及びＮ−ハラミン化合物の使用を教示している。幾つかの構造では、ペンダント基に置換２，２，５，５−テトラメチルイミダゾリジン部分が含まれる。
【００３５】
ＷＯ９８／３０６０１は、２，２，５，５−テトラメチルイミダゾリジン部分を含有するニトロキシド及びアルコキシアミンを使用するリビングラジカル重合による、ポリマーの分子量及びポリマー構造を制御する方法を記載している。
【００３６】
ＷＯ９９／６１３９６は、アルキル化２，２，５，５−テトラメチルイミダゾリジン化合物をベースにした一群の重合抑制剤を使用する、不飽和有機ポリマーを安定化する方法を教示している。
【００３７】
米国特許第３，８９９，４９１号、第３，９９２，３５１号、第４，００７，１５６号及び第４，００７，１５７号は、光安定剤として、ピペラジンジオン化合物及び対応するピペラジン誘導体へそれらを変換することを教示している。
【００３８】
米国特許第３，９１９，２３４号及び第３，９６９，３１６号は、光安定剤として、選択されたピペラジンジオン化合物の一般的な合成を記載している。
【００３９】
米国特許第３，９２８，３５７号、第４，０５１，１３７号、第４，１２５，５１７号及び第４，２０８，５２２号は、光安定剤として、置換ピペラジンジオン化合物の調製を示している。
【００４０】
米国特許第３，９２０，６５９号及び第３，９６８，０７８号は、光安定剤として、置換ピペラジンジオンエステル化合物の調製を記載している。
【００４１】
米国特許第４，５９０，２３１号、第４，６６８，７２１号及び第４，６９１，０１５号は、そのうちの幾つかはピペラジンジオン部分を含有する種々のヒドロキシルアミン化合物を使用する、ポリオレフィン化合物の安定化を記載している。
【００４２】
ＷＯ９８／４４００８は、ピペラジノン、ピペラジンジオン又はモルホリノンベースのニトロキシドである安定なラジカル剤を使用する、制御されたラジカル重合法を教示している。
【００４３】
米国特許第３，９３６，４５６号は、ポリオレフィン類の安定化に有用な置換ピペラジンジオンオキシル及びヒドロキシルアミン誘導体を記載している。
【００４４】
米国特許第４，４１３，０９６号は、ペンダントヒンダードアミン基を有するオレフィンコポリマー、とりわけピペラジンジオン部分を含有するものを記述している。
【００４５】
ドイツ国公開公報ＤＥ１９９２４９８４Ａ１は、一群のピペラジンジオン誘導体により安定化されている組成物を記載している。
【００４６】
英国公開特許公報２，３３３，７７４Ａ及びＷＯ００／３１０６９は、有機材料、特にポリマー及び写真用材料の安定化に有用な、数個の２−オキソピペラジニル誘導体を記載している。
【００４７】
米国特許第４，１６７，５１２号及び第４，１９０，５７１号は、光安定剤として、ピペラジノンを含む幾つかの２−ケト−１，４−ジアザシクロアルカンを記載している。
【００４８】
米国特許第４，５４７，５３８号、第４，４８０，０９２号、第５，０２６，８４８号及び第５，０７１，９８１号は、光安定剤として、オリゴマー構造を含む種々のオキソ−ピペラジニル−トリアジンを教示している。
【００４９】
米国特許第４，２４０，９６１号は、ピペラジノンの調製を記載している。
【００５０】
米国特許第６，１１７，９９５号は、環がとりわけピペラジノンである立体障害アミンエーテルの調製を記述している。これらの化合物は安定剤として有用である。
【００５１】
米国特許第４，０３３，９２８号、第４，１１０，３０４号及び第４，１２３，４１８号は、とりわけ、選択されたピペラジノンがエポキシ樹脂及びスチレンポリマーを分解から保護することが有用であることを教示している。
【００５２】
これらの参考文献のどれも、モルホリノン、オキサゾリジン、イミダゾリジン、ピペラジンジオン又はピペラジノンをＵＶ吸収剤及び／又は酸化防止剤と一緒に使用してロウソクのロウを安定化する場合に提供される優れた性能を教示してはいない。
【００５３】
より詳細には、本発明は、
（ａ）白色無香；白色芳香；着色無香；着色芳香；浸染無香；又は浸染芳香であるロウソクのロウ、並びに
（ｂ）（ｉ）
一般式（Ｉ−１００）：
【００５４】
【化１３】
2004523638.tif 000002
【００５５】
で示される部分を含有するモルホリノン化合物、
一般式（Ｉ−２００）、（II−２００）又は（III−２００）：
【００５６】
【化１４】
2004523638.tif 000003
【００５７】
で示される部分を含有するオキサゾリジン化合物、
一般式（Ｉ−３００）：
【００５８】
【化１５】
2004523638.tif 000004
【００５９】
で示される部分を含有するイミダゾリジン化合物、
一般式（Ｉ−４００）：
【００６０】
【化１６】
2004523638.tif 000005
【００６１】
で示される部分を含有するピペラジンジオン化合物、及び
式（Ｉ−５００）：
【００６２】
【化１７】
2004523638.tif 000006
【００６３】
で示される部分を含有するピペラジノン化合物からなる群より選択される化合物と、
（ii）ＵＶ吸収剤若しくは酸化防止剤、又はＵＶ吸収剤及び酸化防止剤と、の組み合わせであり、
（ｉ）の（ii）に対する重量比が１０：１〜１：１０である組み合わせ、
を含む組成物に関する。
【００６４】
モルホリノン化合物は、好ましくは式（Ia−１００）又は（Ib−１００）：
【００６５】
【化１８】
2004523638.tif 000007
【００６６】
（式中、
ｎ100は、１又は２であり；
Ｒ101は、水素、炭素原子１〜１８個のアルキル、炭素原子５〜１２個のシクロアルキル又は炭素原子５〜１２個のシクロアルケニルであり；
Ｒ102は、Ｒ101と同じ意味を有するか；あるいはＲ102は、炭素原子１〜８個のヒドロキシアルキルでもあるか；あるいはＲ101とＲ102は一緒になって、テトラメチレン、ペンタメチレン、又はメチルで置換されているペンタメチレンであり；
Ｒ103は、Ｒ101と同じ意味を有し；
Ｒ104は、Ｒ102と同じ意味を有するか；あるいはＲ103とＲ104は一緒になってテトラメチレン、ペンタメチレン、又はメチルで置換されているペンタメチレンであり；
Ｒ105は、水素；炭素原子１〜１８個のアルキル；ヒドロキシ、フェニル、若しくはヒドロキシとフェニルの両方で置換されている炭素原子２〜１８個のアルキル；オキシル；ヒドロキシ；炭素原子２〜１２個のシアノアルキル；炭素原子２〜１２個のシアノアルコキシ；炭素原子１〜１８個のアルコキシ；炭素原子５〜１２個のシクロアルコキシ；炭素原子３〜８個のアルケニル；炭素原子３〜８個のアルケニルオキシ；炭素原子７〜１２個のフェニルアルキル；ヒドロキシ、炭素原子１〜４個のアルキル、若しくは炭素原子１〜４個のアルコキシ又は前記アルキルと前記アルコキシの両方で置換されている炭素原子７〜１２個のフェニルアルキル；炭素原子７〜１２個のフェニルアルコキシ；炭素原子２〜８個のアルカノイル；又は置換されている２，２，６，６−テトラアルキルピペリジニル部分であり；
ｎ100が1の場合、
Ｒ106は、非置換であるか又は１〜６個のヒドロキシ若しくは−ＯＲ1基で置換されている、炭素原子１〜２４個の直鎖状又は分岐鎖状アルキルであるか、あるいはＲ106は、フェニルであり；
ｎ100が２の場合、
Ｒ106は、炭素原子２〜１２個のアルキレン、ｏ−フェニレン、ｍ−フェニレン、ｐ−フェニレン又はｐ−キシリレンであり；そして
Ｒ107は、水素であるか又はＲ101の意味を有する）
で示され化合物である。
【００６７】
オキサゾリジン化合物は、好ましくは式（Ia−２００）、（IIa−２００）又は（IIIa−２００）：
【００６８】
【化１９】
2004523638.tif 000008
【００６９】
（式中、
Ｒ201、Ｒ202、Ｒ203及びＲ204は、独立して炭素原子１〜８個のアルキルであるか、あるいはＲ201とＲ202は一緒になって、又はＲ203とＲ204は一緒になって、テトラメチレン、ペンタメチレン、又はメチルで置換されているペンタメチレンであり；
Ｒ205は、水素、オキシル、ヒドロキシ、炭素原子７〜１５個のアラルキル、炭素原子１〜２４個のアルコキシ、炭素原子１〜４２個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか、あるいはＲ205は、−ＣＯ−ＣnＨ2n+1（ここで、ｎは１〜１７である）であり、そして
Ｒ206は、炭素原子１〜８個のアルキル、１若しくは２個のヒドロキシ基で置換されている前記アルキル又は炭素原子６〜１０個のアリールである）
で示される化合物である。
【００７０】
イミダゾリン化合物は、好ましくは式（Ia−３００）：
【００７１】
【化２０】
2004523638.tif 000009
【００７２】
（式中、
Ｒ301及びＲ302は、独立して炭素原子１〜８個のアルキルであるか、あるいはＲ301とＲ302は一緒になって、テトラメチレン、ペンタメチレン又はメチルで置換されているペンタメチレンであり、そして
Ｒ303及びＲ304は、独立して水素、オキシル、ヒドロキシ、炭素原子７〜１５個のアラルキル、炭素原子１〜２４個のアルコキシ、炭素原子１〜４２個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルである）
で示される化合物である。
【００７３】
ピペラジンジオン化合物は、好ましくは式（Ia−４００）：
【００７４】
【化２１】
2004523638.tif 000010
【００７５】
（式中、
ｐ400は、１又は２であり；
ｐ400が１の場合、
Ｇ400は、炭素原子１〜１８個のアルキルであるか、−ＮＨ2、−ＯＨ、ハロゲン、−ＯＲ6又は４−ヒドロキシ−３，５−ジ−tert−ブチルフェニル若しくは４−ヒドロキシ−３，５−ジメチルフェニル、又はこれらの基の混合物で置換されているか、−Ｏ−、−ＮＨ−若しくは−ＮＲ406−又は前記基の混合物で中断されている炭素原子２〜１８個のアルキルであるか；あるいはＧ400は、−ＣＯＯＲ407又はフェニルで置換されている炭素原子１〜１８個のアルキルであり；
ｐ400が２の場合、
Ｇ400は、炭素原子２〜１０個のアルキレン、炭素原子４〜１２個のアルケニレン、１〜４個の−ＯＨで置換されている炭素原子３〜１５個のアルキレン、又は１〜４個の酸素原子で中断されている前記アルキレンであるか；あるいはＧ400は、フェニレン、Ｃ1〜Ｃ4アルキルフェニレン、−ＣＯＯ−、−ＣＯＮＨ−、下記式：
【００７６】
【化２２】
2004523638.tif 000011
【００７７】
で示される基、−ＮＨ−又は−ＮＲ406−であり；
Ｒ401、Ｒ402、Ｒ403及びＲ404は、独立して炭素原子１〜１２個のアルキル、１若しくは２個のヒドロキシ基で置換されている前記アルキルであるか、あるいはＲ401とＲ402は一緒になって、又はＲ403とＲ404は一緒になって、又はＲ401とＲ402が一緒になり、かつＲ403とＲ404が一緒になって、テトラメチレン、ペンタメチレン、又はメチルで置換されているペンタメチレンであり；
Ｒ405は、水素、オキシル、ヒドロキシ、シアノエチル、炭素原子７〜１５個のフェニルアルキル、炭素原子１〜４個のアルキル及び炭素原子１〜４個のアルコキシから選択される１〜３個の基でフェニル環が置換されている前記フェニルアルキル、炭素原子７〜１５個のフェニルアルコキシ、炭素原子１〜４個のアルキル及び炭素原子１〜４個のアルコキシから選択される１〜３個の基でフェニル環が置換されている前記フェニルアルコキシ、炭素原子５〜１２個のシクロアルコキシ、炭素原子３〜８個のアルケニル、炭素原子３〜８個のアルキニル、炭素原子１〜２４個のアルコキシ、炭素原子１〜２４個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか；あるいはＲ405は、炭素原子１〜８個のアルカノイル、炭素原子３〜５個のアルケノイル、炭素原子１〜１８個のアルカノイルオキシ、グリシジル又は基−ＣＨ2ＣＨ（ＯＨ）−Ｅ400（ここで、Ｅ400は、水素、メチル又はフェニルである）であり；
Ｘ400は、−Ｏ−、−ＮＨ−又は−ＮＲ406−であり；
Ｚ400は、−ＮＨ2、−ＮＨＲ406、−Ｎ（Ｒ406）2又は炭素原子１〜１８個のアルコキシであり；
Ｒ406は、炭素原子１〜８個のアルキルであるか、炭素原子１〜８個のアルカノイル、炭素原子５〜１２個のシクロアルキル、非置換であるか又は炭素原子１〜４個のアルキル、炭素原子１〜４個のアルコキシ若しくは前記基の混合物でフェニル環が置換されている炭素原子７〜１５個のフェニルアルキルであるか；あるいはＲ406は、−ＯＨ、炭素原子１〜１２個のアルコキシ、ベンゾフェノニル若しくはベンゾフェノニルオキシ（ここで、ベンゾフェノン部分のフェニル環の１個又は両方が、非置換であるか又は−ＯＨ、ハロゲン、炭素原子１〜４個のアルキル、炭素原子１〜４個のアルコキシ若しくはそのような基の混合物で置換されている）で置換されている、炭素原子１〜８個のアルキル又は炭素原子１〜８個のアルカノイルであり；そして
Ｒ407は、炭素原子１〜１８個のアルキルであるか、−ＮＨ2、−ＮＨＲ406、−Ｎ（Ｒ406）2、ニトロ、ヒドロキシ、炭素原子１〜１８個のアルコキシ又は前記基の混合物で置換されている炭素原子２〜１８個のアルキルであるか；あるいはＲ407は、炭素原子３〜１８個のアルケニル、炭素原子５〜１２個のシクロアルキル、又は炭素原子１〜４個のアルキルで置換されているか、若しくは−Ｏ−で中断されている前記シクロアルキルである）
で示される化合物である。
【００７８】
ピペラジノン化合物は、好ましくは式（II−５００）又は（III−５００）：
【００７９】
【化２３】
2004523638.tif 000012
【００８０】
（式中、
ｎ500は、１又は２であり；
ｐ500は、１〜１２であり；
ｎ500が1の場合、
Ｇ500は、炭素原子１〜１８個のアルキルであるか、−ＮＨ2、−ＮＨ（Ｒ506）、−ＯＨ、ハロゲン、−ＯＲ506又は４−ヒドロキシ−３，５−ジ−tert−ブチルフェニル若しくは４−ヒドロキシ−３，５−ジメチルフェニル、又はこれらの基の混合物で置換されている炭素原子２〜１８個のアルキルであるか；あるいはＧ500は、−Ｏ−、−ＣＯ−、−ＮＨ−若しくは−ＮＲ506−又は前記の基の混合物で中断されている炭素原子２〜１８個のアルキルであるか；あるいはＧ500は、−ＣＯＯＲ507又はフェニルで置換されている炭素原子１〜１８個のアルキルであり；
ｎ500が２の場合、
Ｇ500は、炭素原子２〜１０個のアルキレン、炭素原子４〜１２個のアルケニレン、１〜４個の−ＯＨで置換されている炭素原子３〜１５個のアルキレン、又は１〜４個の酸素原子で中断されている前記アルキレンであるか；あるいはＧ500は、フェニレン、Ｃ1〜Ｃ4アルキルフェニレン、−ＣＯ−（ＣＨ2）p500−ＣＯ−、−ＣＯＯ−、−ＣＯＮＨ−、下記式：
【００８１】
【化２４】
2004523638.tif 000013
【００８２】
で示される基、−ＮＨ−又は−ＮＲ506−であり；
Ｒ501、Ｒ502、Ｒ503及びＲ504は、独立して炭素原子１〜１２個のアルキル、１若しくは２個のヒドロキシ基で置換されている前記アルキルであるか、あるいはＲ501とＲ502は一緒になって、又はＲ503とＲ504は一緒になって、又はＲ501とＲ502が一緒になり、かつＲ503とＲ504が一緒になって、テトラメチレン、ペンタメチレン、又はメチルで置換されているペンタメチレンであり；
Ｒ505は、水素、オキシル、ヒドロキシ、シアノエチル、炭素原子７〜１５個のフェニルアルキル、炭素原子１〜４個のアルキル及び炭素原子１〜４個のアルコキシから選択される１〜３個の基でフェニル環が置換されている前記フェニルアルキル、炭素原子７〜１５個のフェニルアルコキシ、炭素原子１〜４個のアルキル及び炭素原子１〜４個のアルコキシから選択される１〜３個の基でフェニル環が置換されている前記フェニルアルコキシ、、炭素原子５〜１２個のシクロアルコキシ、炭素原子３〜８個のアルケニル、炭素原子３〜８個のアルキニル、炭素原子１〜２４個のアルコキシ、炭素原子１〜２４個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか；あるいはＲ505は、炭素原子１〜８個のアルカノイル、炭素原子３〜５個のアルケノイル、炭素原子１〜１８個のアルカノイルオキシ、グリシジル又は基−ＣＨ2ＣＨ（ＯＨ）−Ｅ500（ここで、Ｅ500は、水素、メチル又はフェニルである）であり；
Ｘ500は、−Ｏ−、−ＮＨ−又は−ＮＲ506−であり；
Ｚ500は、−ＮＨ2、−ＮＨＲ506、−Ｎ（Ｒ506）2又は炭素原子１〜１８個のアルコキシであり；
Ｒ506は、炭素原子１〜８個のアルキルであるか、炭素原子１〜８個のアルカノイル、炭素原子５〜１２個のシクロアルキル、非置換であるか又は炭素原子１〜４個のアルキル、炭素原子１〜４個のアルコキシ若しくは前記基の混合物でフェニル環が置換されている炭素原子７〜１５個のフェニルアルキルであるか；あるいはＲ506は、−ＯＨ、炭素原子１〜１２個のアルコキシ、ベンゾフェノニル若しくはベンゾフェノニルオキシ（ここで、ベンゾフェノン部分のフェニル環の１個又は両方が、非置換であるか又は−ＯＨ、ハロゲン、炭素原子１〜４個のアルキル、炭素原子１〜４個のアルコキシ若しくはそのような基の混合物で置換されている）で置換されている、炭素原子１〜８個のアルキル又は炭素原子１〜８個のアルカノイルであり；
Ｒ507は、水素、炭素原子１〜１８個のアルキルであるか、−ＮＨ2、−ＮＨＲ506、−Ｎ（Ｒ506）2、ニトロ、ヒドロキシ、炭素原子１〜１８個のアルコキシ又は前記基の混合物で置換されている炭素原子２〜１８個のアルキルであるか；あるいはＲ507は、炭素原子３〜１８個のアルケニル、炭素原子５〜１２個のシクロアルキル、又は炭素原子１〜４個のアルキルで置換されているか、若しくは−Ｏ−で中断されている前記シクロアルキルであるか；あるいはＲ507は、フェニル又は炭素原子７〜１５個のフェニルアルキルであり；そして
Ｒ508は、炭素原子１〜１２個のアルキル又は炭素原子３〜１２個のシクロアルキルである）
で示される化合物である。
【００８３】
好ましい実施態様において、Ｒ201、Ｒ202、Ｒ203及びＲ204は、それぞれメチルであるか、又はＲ201とＲ202は一緒になり、かつＲ203とＲ204は一緒になって、ペンタメチレンである。
【００８４】
更なる好ましい実施態様において、Ｒ301及びＲ302は、それぞれメチルであるか、又はＲ301とＲ302は一緒になって、ペンタメチレンである。
【００８５】
他の好ましい実施態様において、Ｒ401、Ｒ402、Ｒ403及びＲ404は、それぞれメチルであるか、又はＲ401とＲ402は一緒になり、かつＲ403とＲ404は一緒になって、ペンタメチレンである。
【００８６】
Ｒ501、Ｒ502、Ｒ503及びＲ504は、それぞれ好ましくはメチルであるか、又はＲ501とＲ502は一緒になり、かつＲ503とＲ504は一緒になって、好ましくはペンタメチレンである
【００８７】
Ｒ505は、好ましくは水素又はメチルである。
【００８８】
Ｒ508は、好ましくはｎ−ブチル又はシクロヘキシルである。
【００８９】
アリールの例はフェニルであり、アラルキルの例はベンジルである。
【００９０】
本発明に有用である式（Ia−１００）又は（Ib−１００）の特定のモルホリノン化合物には、下記が含まれる。
（ａ−１００）５−ヒドロキシメチル−３，３，５−トリメチル−２−モルホリノン、
（ｂ−１００）５−ドデカノイルオキシメチル−３，３，５−トリメチル−２−モルホリノン、
（ｃ−１００）５−（２−エチルヘキサノイルオキシメチル）−３，３，５−トリメチル−２−モルホリノン、
（ｄ−１００）５，５′−ビス（デカンジオイルオキシメチル−３，３，５−トリメチル−２−モルホリノン）、
（ｅ−１００）Ｎ−（２，２，６，６−テトラメチルピペリジン−４−イル）テトラヒドロ−１，４−オキサジン−２−オン、
（ｆ−１００）Ｎ−（１，２，２，６，６−ペンタメチルピペリジン−４−イル）テトラヒドロ−６−メチル−１，４−オキサジン−２−オン、
（ｇ−１００）Ｎ−（１−アセチル−２，２，６，６−テトラメチルピペリジン−４−イル）−３−ｎ−テトラデシル−テトラヒドロ−１，４−オキサジン−２−オン、
（ｈ−１００）３，３−ペンタメチレン−５，５−ジメチル−２−モルホリノン、
（ｉ−１００）３，３，４−トリメチル−５−エチル−５−ヒドロキシメチル−２−モルホリノン、
（ｊ−１００）３，３，５，５−テトラメチル−４−オキシル−２−モルホリノン、
（ｋ−１００）３，３−ジエチル−５，５−ジメチル−４−ヒドロキシ−２−モルホリノン、
（ｌ−１００）３，３，５，５−テトラメチル−４−（α−メチルベンジル）−２−モルホリノン、
（ｍ−１００）３，３，５，５−テトラメチル−４−（α−メチルベンジルオキシ）−２−モルホリノン、
（ｎ−１００）Ｎ−（２−ヒドロキシエチル）−３，３，５，５−テトラメチル−２−モルホリノン、
（ｏ−１００）３，３，４，５−テトラメチル−５−（オクタデカノイルオキシメチル）−２−モルホリノン、及び
（ｐ−１００）ビス（３，３，４，５−テトラメチル−２−モルホリノン−５−イルメチル）テレフタラート。
【００９１】
化合物（ａ−１００）、（ｂ−１００）、（ｃ−１００）及び（ｄ−１００）が特に好ましい。
【００９２】
本発明に有用である式（Ia−２００）（ＩＩａ−２００）又は（IIIａ−２００）の特定のオキサゾリジン化合物には、下記が含まれる。
（ａ−２００）３，３−ジメチル−１−オキサ−４−アザスピロ〔４．５〕デカン、
（ｂ−２００）２，２，４，４−テトラメチル−１，３−オキサゾリジン、
（ｃ−２００）２，２，１１，１１−テトラメチル−３，９−ジオキサ−ジスピロ〔４．２．４．２〕テトラデカン、
（ｄ−２００）３，３−ジメチル−１−オキサ−４−オキシル−４−アザスピロ〔４．５〕デカン、
（ｅ−２００）３，３−ジメチル−１−オキサ−４−ヒドロキシ−４−アザスピロ〔４．５〕デカン、
（ｆ−２００）３，３−ジメチロール−１−オキサ−４−アザスピロ〔４．５〕デカン、
（ｇ−２００）２，３，３−トリメチル−１−オキサ−４−アザスピロ〔４．５〕デカン、
（ｈ−２００）３，３−ジ（２−ヒドロキシエチル）−１−オキサ−４−アザスピロ〔４．５〕デカン、
（ｉ−２００）４−エチル−２−イソプロピルオキサゾリジン、
（ｊ−２００）１−アザ−３，７−ジオキサ−２，８−ジイソプロピル−５−エチルビシクロ〔３．３．０〕オクタン、
（ｋ−２００）３−アセチル−４，４−ジメチル−２−（３−アミル）オキサゾリジン、
（ｌ−２００）３−アセチル−４−エチル−２−フェニルオキサゾリジン、
（ｍ−２００）Ｎ−（２−ヒドロキシエチル）−２，２′−ジエチル−４，４′−ジメエチル−１，３−オキサゾリジン、
（ｎ−２００）１−アザ−３，７−ジオキサ−２，８−ジフェニル−５−メチロールビシクロ〔３．３．０〕オクタン、及び
（ｏ−２００）１−アザ−３，７−ジオキサ−２，８−ジ−ｎ−プロピル−５−メチロールビシクロ〔３．３．０〕オクタン。
【００９３】
化合物（ａ−２００）、（ｂ−２００）及び（ｃ−２００）が特に好ましい。
【００９４】
本発明に有用である式（Ia−３００）の特定のイミダゾリン化合物には、下記が含まれる。
（ａ−３００）２，２−ペンタメチレン−５，５−ペンタメチレン−イミダゾリジン−４−オン、
（ｂ−３００）２，２−ペンタメチレン−５，５−ペンタメチレン−イミダゾリジン−４−オン−１−オキシル、
（ｃ−３００）２，２，５，５−テトラメチル−４−オキソイミダゾリン−１−オキシル、
（ｄ−３００）２，５−ジメチル−２，５−ジイソブチル−４−オキソイミダゾリン−１−オキシル、
（ｅ−３００）（２，２，６，６−テトラメチルピペリジン−１−オキシル）−４−スピロ−２′−（４−オキソイミダゾリン−１−オキシル）−５′−スピロ−４−（２，２，６，６−テトラメチルピペリジン−１−オキシル）、
（ｆ−３００）２，５−ジメチル−２，５−ジエチル−４−オキソイミダゾリン−１−オキシル、
（ｇ−３００）２，２−〔（１−メチル）−１，５−ペンタンジイル〕−５，５−〔（１−メチル）−１，５−ペンタンジイル〕イミダゾリジン−４−オン−１−オキシル、
（ｈ−３００）２，２，５，５−テトラメチル−１−（２−ヒドロキシエチル）イミダゾリン−４−オン、
（ｊ−３００）ビス〔２−（２，２，５，５−テトラメチル−４−オキソ−イミダゾリン−１−イル）エチル〕セバカート、
（ｊ−３００）２，２，５，５−テトラメチル−１−メチル−３−（２−ヒドロキシエチル）イミダゾリン−４−オン、
（ｋ−３００）２，２，５，５−テトラメチル−１−メチル−３−〔Ｈ（ＯＣＨ2ＣＨ2）x〕イミダゾリン−４−オン（ここで、ｘは２〜２１である）、
（ｌ−３００）２，２，５，５−テトラメチル−１−メチル−３−〔ヘプタデシルカルボニル（ＯＣＨ2ＣＨ2）x〕イミダゾリン−４−オン（ここで、ｘは２〜２１である）、
（ｍ−３００）２，２，５，５−テトラメチル−１−メチル−３−〔４−ヒドロキシ−３，５−ジ−tert−ブチルベンゾイル（ＯＣＨ2ＣＨ2）x〕イミダゾリン−４−オン（ここで、ｘは２〜２１である）、
（ｎ−３００）２，２，５，５−テトラメチル−１−メチル−３−〔２−（ヘプタデシルカルボニルオキシエチル）〕イミダゾリン−４−オン、
（ｏ−３００）２，２，５，５−テトラメチル−３−メチル−１−〔２−（ヘプタデシルカルボニルオキシエチル）〕イミダゾリン−４−オン、
（ｐ−３００）１：１のメタクリル酸メチルとアクリル酸エチルのコポリマーと３−ヒドロキシエチル−２，２，５，５−テトラメチルイミダゾリジン−４−オンとのエステル交換反応生成物、及び
（ｑ−３００）２：１のメタクリル酸メチルとアクリル酸エチルのコポリマーと３−ヒドロキシエチル−２，２，５，５−テトラメチルイミダゾリジン−４−オンとのエステル交換反応生成物。
【００９５】
化合物（ａ−３００）が特に好ましい。
【００９６】
本発明に有用である式（Ia−４００）の特定のピペラジンジオン化合物には、下記が含まれる。
（ａ−４００）４−（３，５−ジメチル−４−ヒドロキシベンジル）−２，２，６，６−テトラメチル−３，５−ジケトピペラジン、
（ｂ−４００）１５−ｎ−オクタデシル−７，１５−ジアザジスピロ〔５．１．５．３〕ヘキサデカン−１４，１６−ジオン、
（ｃ−４００）１５−ベンジル−７，１５−ジアザジスピロ〔５．１．５．３〕ヘキサデカン−１４，１６−ジオン、
（ｄ−４００）４−ｎ−オクタデシル−２，２，６，６−テトラメチル−３，５−ジケトピペラジン、
（ｅ−４００）４，４′−ｎ−オクタメチレン−ビス（２，２，６，６−テトラメチル−３，５−ジケトピペラジン、
（ｆ−４００）１５−ｎ−オクタデシル−１，９−ジメチル−７，１５−ジアザジスピロ〔５．１．５．３〕ヘキサデカン−１４，１６−ジオン、
（ｇ−４００）３，３，５，５−テトラメチル−４−オクチルオキシ−１−（４−ヒドロキシ−３，５−ジ−tert−ブチルベンジルピペラジン−２，６−ジオン、
（ｈ−４００）３，３，５，５−テトラメチル−４−アセチル−１−（４−ヒドロキシ−３，５−ジ−tert−ブチルベンジルピペラジン−２，６−ジオン、
（ｉ−４００）テトラメチレンビス〔４−（３，３，４，５，５−ペンタメチルピペラジン−２，６−ジオン−１−イル）ブチラート〕
（ｊ−４００）３，３，５，５−テトラメチル−４−ヒドロキシ−１−オクチルピペラジン−２，６−ジオン、
（ｋ−４００）１，３，３，５，５−ペンタメチル−４−オキシルピペラジン−２，６−ジオン、及び
（ｌ−４００）３，３，４，５，５−ペンタメチル−１−（エトキシカルボニルメチル）ピペラジン−２，６−ジオン。
【００９７】
化合物（ａ−４００）及び（ｂ−４００）が特に好ましい。
【００９８】
本発明に有用である式（II−５００）又は（III−５００）の特定のピペラジノン化合物には、下記が含まれる。
（ａ−５００）１，３，５−トリス｛Ｎ−シクロヘキシル−Ｎ−〔２−（２，２，６，６−テトラメチルピペラジン−３−オン−４−イル）エチル〕アミノ｝−ｓ−トリアジン、
（ｂ−５００）１，３，５−トリス｛Ｎ−シクロヘキシル−Ｎ−〔２−（１，２，２，６，６−ペンタメチルピペラジン−３−オン−４−イル）エチル〕アミノ｝−ｓ−トリアジン、
（ｃ−５００）１，２−エタン−ビス（３，３，５，５−テトラメチルピペラジン−２−オン−１−イル）、
（ｄ−５００）７−メチル−７，１５−ジアザジスピロ〔５．１．５．３〕ヘキサデカン−１４−オン、
（ｅ−５００）１，３，３，５，５−ペンタメチル−４−（２−ヒドロキシエチル）−２−ケトピペラジン、
（ｆ−５００）３，３，５，５−テトラメチル−４−オクチルオキシ−１−オクチル−２−ケトピペラジン、
（ｇ−５００）１，３，３，５，５−ペンタメチル−４−オキシル−２−ケトピペラジン、
（ｈ−５００）３，３，４，５，５−ペンタメチル−１−（２−ヒドロキシエチル）ピペラジン−２−オン、
（ｉ−５００）３，３，５，５−テトラメチル−４−シクロヘキシルオキシ−１−〔２−（ドデカノイルオキシ）エチル〕ピペラジン−２−オン、
（ｊ−５００）ビス〔２−（４−シクロヘキシルオキシ−３，３，５，５−テトラメチル−２−ケトピペラジン−１−イル）エチル〕セバカート、及び
（ｋ−５００）４−オクチルオキシ−３，３，５，５−テトラメチル−１−オクタデシルピペラジン−２−オン。
【００９９】
化合物（ａ−５００）、（ｂ−５００）及び（ｃ−５００）が特に好ましい。
【０１００】
本発明の他の好ましい実施態様において、成分（ｉ）の（ii）に対する重量比は、４：１〜１：４、特に２：１〜１：２である。
【０１０１】
本発明の更に他の実施態様において、成分（ｉ）及び（ii）の総量は、ロウに基づき０．０１〜１０重量％、好ましくは０．１〜２重量％、特に０．１〜０．５重量％である。
【０１０２】
成分（ii）のＵＶ吸収剤は、例えば、ベンゾトリアゾール、ベンゾフェノン、α−シアノアクリラート、オキサニリド、ｓ−トリアジン、シンナマート、マロナート、ベンゾアート若しくはサリチラート又はこれらの混合物であり、特にベンゾトリアゾール、ベンゾフェノン又はｓ−トリアジンである。
【０１０３】
本発明で有用なＵＶ吸収剤の例は下記である。
（ａ）４−オクチルオキシ−２−ヒドロキシベンゾフェノン、
（ｂ）４−メトキシ−２−ヒドロキシベンゾフェノン、
（ｃ）２−（２−ヒドロキシ−５−メチルフェニル）−２Ｈ−ベンゾトリアゾール、
（ｄ）２−（２−ヒドロキシ−５−tert−オクチルフェニル）−２Ｈ−ベンゾトリアゾール、
（ｅ）２−（２−ヒドロキシ−３，５−ジ−tert−アミルフェニル）−２Ｈ−ベンゾトリアゾール、
（ｆ）オクチル  ３−（ベンゾトリアゾール−２−イル）−５−tert−ブチル−４−ヒドロキシヒドロシンナマート、
（ｇ）２−（２−ヒドロキシ−３，５−ジ−tert−ブチルフェニル）−２Ｈ−ベンゾトリアゾール、
（ｈ）２−（２−ヒドロキシ−５−tert−ブチルフェニル）−２Ｈ−ベンゾトリアゾール、
（ｉ）５−クロロ−２−（２−ヒドロキシ−３，５−ジ−tert−ブチルフェニル）−２Ｈ−ベンゾトリアゾール、
（ｊ）５−クロロ−２−（２−ヒドロキシ−３−tert−ブチル−５−メチルフェニル）−２Ｈ−ベンゾトリアゾール、
（ｋ）２−（２−ヒドロキシ−３−sec−ブチル−５−tert−ブチルフェニル）−２Ｈ−ベンゾトリアゾール、
（ｌ）２−（２−ヒドロキシ−４−オクチルオキシフェニル）−２Ｈ−ベンゾトリアゾール、
（ｍ）２−（２−ヒドロキシ−３−ドデシル−５−メチルフェニル）−２Ｈ−ベンゾトリアゾール、
（ｎ）２−〔２−ヒドロキシ−３，５−ジ（α，α−ジメチルベンジル）フェニル〕−２Ｈ−ベンゾトリアゾール、
（ｏ）２−〔２−ヒドロキシ−３−（α，α−ジメチルベンジル）−５−tert−オクチルフェニル〕−２Ｈ−ベンゾトリアゾール、
（ｐ）２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール、
（ｑ）２−｛２−ヒドロキシ−３−tert−ブチル−５−〔２−（オクチルオキシ）カルボニル）エチル〕フェニル｝−２Ｈ−ベンゾトリアゾール、
（ｒ）２−エチルヘキシルｐ−メトキシシンナマート、
（ｓ）４−メトキシ−２，２′−ジヒドロキシベンゾフェノン、
（ｔ）４，４′−ジメトキシ−２，２′−ジヒドロキシベンゾフェノン、
（ｕ）２，４−ビス（２，４−ジメチルフェニル）−６−（２−ヒドロキシ−４−オクチルオキシフェニル）−ｓ−トリアジン、
（ｖ）２，４−ジフェニル−６−（２−ヒドロキシ−４−ヘキシルオキシフェニル）−ｓ−トリアジン、
（ｗ）２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン、
（ｘ）２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン、
（ｙ）２，４，６−トリス（２，４−ジヒドロキシフェニル）−ｓ−トリアジンとオクチルα−ハロアセタートとの反応生成物、及び
（ｚ）３，３；３，５；５，５−メチレン−ビス〔２，４−ビス（２，４−ジメチルフェニル）〕−６−〔２−ヒドロキシ−４−（３−ブトキシ−２−ヒドロキシプロポキシフェニル）〕−ｓ−トリアジンの混合物。
【０１０４】
ＵＶ吸収剤（ａ）、（ｂ）、（ｄ）、（ｏ）、（ｐ）、（ｑ）、（ｙ）及び（ｚ）が特に好ましい。
【０１０５】
本発明の他の実施態様は、酸化防止剤が、フェノール系酸化防止剤、ホスファイト、ニトロン、アミンオキシド若しくはヒドロキシルアミン又はこれらの混合物である組成物を包含する。
【０１０６】
本発明で有用な酸化防止剤の例は下記である。
（ａ′）ｎ−オクタデシル３，５−ジ−tert−ブチル−４−ヒドロキシヒドロシンナマート、
（ｂ′）ネオペンタンテトライルテトラキス（３，５−ジ−tert−ブチル−４−ヒドロキシヒドロシンナマート）、
（ｃ′）ジ−ｎ−オクタデシル３，５−ジ−tert−ブチル−４−ヒドロキシベンジルホスホナート、
（ｄ′）１，３，５−トリス（３，５−ジ−tert−ブチル−４−ヒドロキシベンジル）イソシアヌラート、
（ｅ′）チオジエチレンビス（３，５−ジ−tert−ブチル−４−ヒドロキシヒドロシンナマート）、
（ｆ′）  １，３，５−トリメチル−２，４，６−トリス（３，５−ジ−tert−ブチル−４−ヒドロキシベンジル）ベンゼン、
（ｇ′）３，６−ジオキサオクタメチレンビス（３−メチル−５−tert−ブチル−４−ヒドロキシヒドロシンナマート）、
（ｈ′）２，６−ジ−tert−ブチル−ｐ−クレゾール、
（ｉ′）２，２′−エチリデン−ビス（４，６−ジ−tert−ブチルフェノール）、
（ｊ′）１，３，５−トリス（２，６−ジメチル−４−tert−ブチル−３−ヒドロキシベンジル）イソシアヌラート、
（ｋ′）１，１，３−トリス（２−メチル−４−ヒドロキシ−５−tert−ブチルフェニル）ブタン、
（ｌ′）１，３，５−トリス〔２−（３，５−ジ−tert−ブチル−４−ヒドロキシヒドロシンナモイルオキシ）エチル〕イソシアヌラート、
（ｍ′）３，５−ジ（３，５−ジ−tert−ブチル−４−ヒドロキシベンジル）メシトール、
（ｎ′）ヘキサメチレンビス（３，５−ジ−tert−ブチル−４−ヒドロキシヒドロシンナマート）、
（ｏ′）１−（３，５−ジ−tert−ブチル−４−ヒドロキシアニリノ）−３，５−ジ（オクチルチオ）−ｓ−トリアジン、
（ｐ′）Ｎ，Ｎ′−ヘキサメチレンビス（３，５−ジ−tert−ブチル−４−ヒドロキシヒドロシンナムアミド）、
（ｑ′）カルシウムビス（エチル３，５−ジ−tert−ブチル−４−ヒドロキシベンジルホスホナート）、
（ｒ′）エチレンビス〔３，３−ジ（３−tert−ブチル−４−ヒドロキシフェニル）ブチラート〕、
（ｓ′）オクチル３，５−ジ−tert−ブチル−４−ヒドロキシベンジルメルカプトアセタート、
（ｔ′）ビス（３，５−ジ−tert−ブチル−４−ヒドロキシヒドロシンナモイル）ヒドラジド、
（ｕ′）Ｎ，Ｎ−ジ（Ｃ14〜Ｃ24アルキル）−Ｎ−メチルアミンオキシド、及び
（ｖ′）ジ（水素化牛脂）アミンを直接酸化することにより調製したＮ，Ｎ−ジアルキルヒドロキシルアミン。
【０１０７】
酸化防止剤（ａ′）、（ｂ′）、（ｄ′）、（ｆ′）、（ｈ′）及び（ｉ′）が特に好ましい。
【０１０８】
ロウソクが多種多様な一群の成分を含有することに留意すべきである。基材は下記により構成されうる。
パラフィンワックス、
天然油、
ポリアミドと脂肪酸／エステル、
脂肪酸、例えばステアリン、
乳白剤、
ミツロウ、
グリセリドと酸化ワックス、
アルコール、及び
エチレンオリゴマー。
【０１０９】
ロウソクは、また、数個の添加剤を含有し、例えば下記である：
離型剤、
香料、
防虫剤又は殺虫剤、
硬化剤、
結晶改質剤、
清澄剤、
垂れ減少剤、
着色剤、
凝固点（f. p.）制御剤、
伸縮性向上剤、
ゲル化剤、
押出助剤、及び
渦減少剤。
【０１１０】
種々の成分は、それぞれ、正常な燃焼を保証すること、チャネリングを減少すること、均一溶融を援助すること等のために、ロウソクの性質を制御又は改質することを意図している。着色剤及び香料が、適切な色、香り又は他の美観に訴えるために付与されることは明白である。
【０１１１】
透明なガラスのように見えるが、伝統的なロウソクのように燃える、透明ゲルロウソクの重要性が高まっている。米国特許第５，８７９，６９４号で詳細に検討されているように（その関連部分は本明細書に参照として組み込まれる）、これらのゲルロウソクは、通常、ハード及びソフトセグメントを含有する熱力学的に不相溶なセグメントの少なくとも２個から伝統的に構成されるトリブロック、ラジカルブロック、ジブロック又はマルチブロックコポリマーからなる群より選択されるコポリマーを含有する。典型的なそのようなブロックコポリマーは、スチレンモノマー単位及びゴムモノマー又はコモノマー単位のブロックセグメントからなるKRATON（登録商標）(Shell Chemical社製）である。KRATON（登録商標）Ｄシリーズで見られる最も一般的な構造は、スチレン−ブタジエン−スチレン（ＳＢＳ）又はスチレン−イソプレン−スチレン（ＳＩＳ）を有する線状ＡＢＡブロックである。
【０１１２】
下記の実施例は、詳細に説明する目的のみを意図するものであり、本発明をいかなる意味においても制限すると解釈されるものではない。
【０１１３】
原材料
ロウのサンプルは、Candle-Lite Corporationから供給された。これらのサンプルは染料及び香料を含有していた。
【０１１４】
ＵＶ吸収剤及びヒンダードアミン安定剤は、Ciba Speciality Chemicals Corporationから入手した。
【０１１５】
サンプルの調製
Candle-Lite Corporationから入手したロウサンプルは、既に染料及び香料（香気）を含有していた。この場合、ロウを溶融し、適切な安定剤を溶融ロウに加え溶解した。次に安定化されたロウを５個の直径４４mmのアルミニウムパンに注ぎ、５個のロウディスクを得た。
【０１１６】
サンプルの曝露
試験サンプルはランプから１２インチ（３０．４８cm）下方にあり、波長３６８nmを有する６個で一列になっている冷白色蛍光灯（４０ワット）又は６個で一列になっているＵＶランプで、それぞれのディスクにつき、同等の３個のサンプルを曝露した。
【０１１７】
染料の退色（又は色変化）を、６インチ積分球を有するMacbeth ColorEye Spectrophotometerにより測定した。条件は、観測１０°、光源Ｄ６５及び監視角度８°であった。
【０１１８】
上記のパラメータを使用して初期色測定を実施した。ＣＩＥシステムを使用して、反射率値からＬ、ａ及びｂ値を計算した。Ｌ、ａ及びｂ値からＹＩを計算した。続いて測定を特定の間隔で実施した。デルタＬ、デルタａ、デルタｂ及びデルタＹＩ値は、単に初期値とそれぞれの間隔における値との差である。デルタ（Δ）Ｅは下記のように計算される。
〔（デルタＬ）2＋（デルタａ）2＋（デルタｂ）2〕1/2＝デルタＥ
【０１１９】
例１０１：５−ヒドロキシメチル−３，３，５−トリメチル−２−モルホリノン
この化合物は、ＷＯ９９／１４２０６の実施例Ａ１の手順に従って調製した。
【０１２０】
例１０２：５−（２−エチルヘキサノイルオキシメチル）−３，３，５−トリメチル−２−モルホリノン
この化合物は、ＷＯ９９／１４２０６の実施例Ａ１９の手順に従って調製した。
【０１２１】
例１０３：５，５′−ビス（デカンジオイルオキシメチル−３，３，５−トリメチル−２−モルホリノン）
この化合物は、ＷＯ９９／１４２０６の実施例Ａ６の手順に従って調製した。
【０１２２】
例１０４：５−ドデカノイルオキシメチル−３，３，５−トリメチル−２−モルホリノン
この化合物は、ＷＯ９９／１４２０６の実施例Ａ４の手順に従って調製した。
【０１２３】
例１０５：ＵＶランプ曝露下でのピンク色芳香ロウソクのロウの退色
種々の異なる安定剤を、ＵＶランプ曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000014
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、５−ヒドロキシメチル−３，３，５−トリメチル−２−モルホリノン（本例１０１の化合物）である。
【０１２４】
これらのデータは、ＵＶ吸収剤と組み合わせたモルホリノン化合物（化合物Ｅ）が、ピンク色芳香ロウソクのロウを望ましくない変色から従来の安定剤系よりもはるかに良好に保護することを示した。
【０１２５】
例１０６：ＵＶランプ曝露下での灰色芳香ロウソクのロウの退色
種々の異なる安定剤を、ＵＶランプ曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000015
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｆは、ビス（１−オクチルオキシ−２，２，６，６−テトラメチルピペリジン−４−イル）セバカート（TINUVIN（登録商標）123、CIBA社製）である。
Ｇは、２，４，６−トリス（２，４−ジヒドロキシフェニル）−ｓ−トリアジンとオクチルα−ハロアセタートとの反応生成物である。
Ｈは、５−（２−エチルヘキサノイルオキシメチル）−３，３，５−トリメチル−２−モルホリノン（本例１０２の化合物）である。
【０１２６】
これらのデータは、ＵＶ吸収剤と組み合わせたモルホリノン化合物（化合物Ｈ）が、灰色芳香ロウソクのロウを望ましくない変色から従来の安定剤系よりもはるかに良好に保護することを示した。
【０１２７】
例１０７：蛍光灯曝露下での白色芳香ロウソクのロウの退色
種々の異なる安定剤を、蛍光灯曝露下、Candle-Lite Corporationから入手した白色芳香ロウソクのロウにおいて評価した。ΔＥ値は指定日数の曝露後の色変化を表す。低いΔＥ値は小さい色変化を示し、極めて望ましい。
2004523638.tif 000016
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｇは、２，４，６−トリス（２，４−ジヒドロキシフェニル）−ｓ−トリアジンとオクチルα−ハロアセタートとの反応生成物である。
Ｈは、５−（２−エチルヘキサノイルオキシメチル）−３，３，５−トリメチル−２−モルホリノン（本例１０２の化合物）である。
Ｉは、５，５′−ビス（デカンジオイルオキシメチル−３，３，５−トリメチル−２−モルホリノン）（本例１０３の化合物）である。
【０１２８】
これらのデータは、ＵＶ吸収剤と組み合わせたモルホリノン化合物（化合物Ｈ又はＩ）が、白色芳香ロウソクのロウを望ましくない変色から従来の安定剤系よりもはるかに良好に保護することを示した。
【０１２９】
例１０８：ＵＶランプ曝露下での白色芳香ロウソクのロウの退色
種々の異なる安定剤を、ＵＶランプ曝露下、Candle-Lite Corporationから入手した白色芳香ロウソクのロウおいて評価した。ΔＥ値は指定日数の曝露後の色変化を表す。低いΔＥ値は小さい色変化を示し、極めて望ましい。
2004523638.tif 000017
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｈは、５−（２−エチルヘキサノイルオキシメチル）−３，３，５−トリメチル−２−モルホリノン（本例１０２の化合物）である。
Ｉは、５，５′−ビス（デカンジオイルオキシメチル−３，３，５−トリメチル−２−モルホリノン）（本例１０３の化合物）である。
【０１３０】
これらのデータは、ＵＶ吸収剤と組み合わせたモルホリノン化合物（化合物Ｈ又はＩ）が、白色芳香ロウソクのロウを望ましくない変色から従来の安定剤系よりもはるかに良好に保護することを示した。
【０１３１】
例１０９：
ジメチルｐ−メトキシベンジリデンマロナート（SANDUVOR（登録商標）PR 25）０．２重量％とＮ−（２，２，６，６−テトラメチルピペリジン−４−イル）テトラヒドロ−１，４−オキサジン−２−オン０．２重量％との組み合わせにより、緑色芳香ロウソクのロウを良好に安定化した。
【０１３２】
例１１０：
ジ（１，２，２，６，６−ペンタメチルピペリジン−４−イル）ｐ−メトキシベンジリデンマロナート（SANDUVOR（登録商標）PR 31）０．１重量％とＮ−（１，２，２，６，６−ペンタメチルピペリジン−４−イル）テトラヒドロ−６−メチル−１，４−オキサジン−２−オン０．１重量％との組み合わせにより、黄色芳香ロウソクのロウを良好に安定化した。
【０１３３】
例１１１：
ジメチルジ（ｐ−クロロフェニル）メチレンマロナート０．１重量％とＮ−（１−アセチル−２，２，６，６−テトラメチルピペリジン−４−イル）−３−ｎ−テトラデシル−テトラヒドロ−１，４−オキサジン−２−オン０．１重量％との組み合わせにより、赤色無香ロウソクのロウを良好に安定化した。
【０１３４】
例１１２：
ジメチルジ（ｐ−メトキシフェニル）メチレンマロナート０．２重量％と３，３−ペンタメチレン−５，５−ジメチル−２−モルホリノン０．２重量％との組み合わせにより、赤色無香ロウソクのロウを良好に安定化した。
【０１３５】
例１１３：
４，４′−ジメトキシ−２，２′−ジヒドロキシベンゾフェノン０．１重量％と３，３，４−トリメチル５−エチル−５−ヒドロキシメチル−２−モルホリノン０．１重量％との組み合わせにより、赤色無香ロウソクのロウを良好に安定化した。
【０１３６】
例１１４：
４−tert−ブチルフェニル−２−ヒドロキシベンゾアート０．２重量％と３，３，５，５−テトラメチル−４−オキシル−２−モルホリノン０．１重量％との組み合わせにより、赤色無香ロウソクのロウを良好に安定化した。
【０１３７】
例１１５：
２−エトキシ−２−エチルオキサニリド０．２重量％と３，３−ジエチル−５，５−ジメチル−４−ヒドロキシ−２−モルホリノン０．１重量％との組み合わせにより、黄色無香ロウソクのロウを良好に安定化した。
【０１３８】
例１１６：
３−ヒドロキシフェニルベンゾアート０．２重量％と３，３，５，５−テトラメチル−４−（α−メチルベンジル）−２−モルホリノン０．２重量％との組み合わせにより、黄色無香ロウソクのロウを良好に安定化した。
【０１３９】
例１１７：
ドデシル３−フェニル−３−メチル−α−シアノアクリラート０．２重量％と３，３，５，５−テトラメチル−４−（α−メチルベンジルオキシ）−２−モルホリノン０．１重量％との組み合わせにより、青色無香ロウソクのロウを良好に安定化した。
【０１４０】
例１１８：
ドデシル３，３−ジフェニル−α−シアノアクリラート０．２重量％とＮ−（２−ヒドロキシエチル）−３，３，５，５−テトラメチル−２−モルホリノン０．２重量％との組み合わせにより、青色無香ロウソクのロウを良好に安定化した。
【０１４１】
例１１９：
２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール（TINUVIN（登録商標）1130、CIBA社製）０．２重量％と３，３，４，５−テトラメチル−５−（オクタデカノイルオキシメチル）−２−モルホリノン２重量％との組み合わせにより、黄色芳香ロウソクのロウを良好に安定化した。
【０１４２】
例１２０：
２−〔２−ヒドロキシ−３−（α，α−ジメチルベンジル）−５−tert−オクチルフェニル〕−２Ｈ−ベンゾトリアゾール（TINUVIN（登録商標）928、CIBA社製）０．１重量％とビス（３，３，４，５−テトラメチル−２−モルホリノン−５−イルメチル）テレフタラート０．２重量％との組み合わせにより、黄色芳香ロウソクのロウを良好に安定化した。
【０１４３】
例１２１：
５−クロロ−２−（２−ヒドロキシ−３−tert−ブチル−５−メチルフェニル）−２Ｈ−ベンゾトリアゾール（TINUVIN（登録商標）326、CIBA社製）０．１重量％と５−ヒドロキシメチル−３，３，５−トリメチル−２−モルホリノン０．１重量％との組み合わせにより、赤色芳香ロウソクのロウを良好に安定化した。
【０１４４】
例１２２：
オクチル３−（ベンゾトリアゾール−２−イル）−５−tert−ブチル−４−ヒドロキシヒドロシンナマート（TINUVIN（登録商標）384、CIBA社製）０．１重量％と５−ドデカノイルオキシメチル−３，３，５−トリメチル−２−モルホリノン０．１重量％との組み合わせにより、緑色芳香ロウソクのロウを良好に安定化した。
【０１４５】
例１２３：
オクチル３−（ベンゾトリアゾール−２−イル）−５−tert−ブチル−４−ヒドロキシヒドロシンナマート（TINUVIN（登録商標）384、CIBA社製）０．１重量％と３，３，５，５−テトラメチル−４−オキシル−２−モルホリノン０．１重量％との組み合わせにより、緑色芳香ロウソクのロウを良好に安定化した。
【０１４６】
例１２４：
２−（２−ヒドロキシ−５−tert−オクチルフェニル）−２Ｈ−ベンゾトリアゾール（TINUVIN（登録商標）329、CIBA社製）０．１重量％と５−（２−エチルヘキサノイルオキシメチル）−３，３，５−トリメチル−２−モルホリノン０．１重量％との組み合わせにより、青色芳香ロウソクのロウを良好に安定化した。
【０１４７】
例１２５：
４−オクチルオキシ−２−ヒドロキシベンゾフェノン０．２重量％と５，５′−ビス（デカンジオイルオキシメチル−３，３，５−トリメチル−２−モルホリノン）０．１重量％との組み合わせにより、青色芳香ロウソクのロウを良好に安定化した。
【０１４８】
例１２６：
２−エチルヘキシルｐ−メトキシシンナマート０．２重量％とＮ−（２，２，６，６−テトラメチルピペリジン−４−イル）テトラヒドロ−１，４−オキサジン−２−オン０．１重量％との組み合わせにより、赤色無香ロウソクのロウを良好に安定化した。
【０１４９】
例１２７：
４，４′−ジメトキシ−２，２′−ジヒドロキシベンゾフェノン０．１重量％とＮ−（１，２，２，６，６−ペンタメチルピペリジン−４−イル）テトラヒドロ−６−メチル−１，４−オキサジン−２−オン０．１重量％との組み合わせにより、赤色無香ロウソクのロウを良好に安定化した。
【０１５０】
例１２８：
２−エトキシ−２′−エチル−５，４′−ジ−tert−ブチルオキサニリド０．１重量％とＮ−（１−アセチル−２，２，６，６−テトラメチルピペリジン−４−イル）−３−ｎ−テトラデシル−テトラヒドロ−１，４−オキサジン−２−オン０．１重量％との組み合わせにより、黄色無香ロウソクのロウを良好に安定化した。
【０１５１】
例１２９：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と３，３−ペンタメチレン−５，５−ジメチル−２−モルホリノン０．１重量％との組み合わせにより、黄色無香ロウソクのロウを良好に安定化した。
【０１５２】
例１３０：
２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン０．１重量％と３，３，４−トリメチル−５−エチル−５−ヒドロキシメチル−２−モルホリノン０．１重量％との組み合わせにより、青色芳香ロウソクのロウを良好に安定化した。
【０１５３】
例１３１：
２，４−ビス（２，４−ジメチルフェニル）−６−（２−ヒドロキシ−４−オクチルオキシフェニル）−ｓ−トリアジン０．２重量％と、１−アセチル−２，２，６，６−テトラメチル−４，４−（１−オキサ−２，４−ジオキソ−３−ドデシルイミノテトラメチレン）ピペリジン（TINUVIN（登録商標）440、CIBA社製）０．１重量％及び３，３，５，５−テトラメチル−４−オキシル−２−モルホリノン０．１重量％との組み合わせにより、青色無香ロウソクのロウを良好に安定化した。
【０１５４】
例１３２：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と、ビス（１，２，２，６，６−ペンタメチルピペリジン−４−イル）セバカート（TINUVIN（登録商標）292、CIBA社製）０．１重量％及び５−ヒドロキシメチル−３，３，５−トリメチル−２−モルホリノン０．１重量％との組み合わせにより、青色無香ロウソクのロウを良好に安定化した。
【０１５５】
例１３３：
４−tert−オクチルフェニル−２−ヒドロキシベンゾアート０．１重量％と３，３−ジエチル−５，５−ジメチル−４−ヒドロキシ−２−モルホリノン２重量％との組み合わせにより、白色無香ロウソクのロウを良好に安定化した。
【０１５６】
例１３４：
３−ヒドロキシフェニルベンゾアート０．１重量％と、オクチル３−（ベンゾトリアゾール−２−イル）−５−tert−ブチル−４−ヒドロキシヒドロシンナマート（TINUVIN（登録商標）384、CIBA社製）０．１重量％及び３，３，５，５−テトラメチル−４−（α−メチルベンジル）−２−モルホリノン０．１重量％との組み合わせにより、白色無香ロウソクのロウを良好に安定化した。
【０１５７】
例１３５：
ドデシル３，３−ジフェニル−α−シアノアクリラート０．１重量％と、２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％及び３，３，５，５−テトラメチル−４−（α−メチルベンジルオキシ）−２−モルホリノン０．１重量％との組み合わせにより、黄色芳香ロウソクのロウを良好に安定化した。
【０１５８】
例１３６：
ペンタエリトリチルテトラキス〔３，３−ジフェニル−α−シアノアクリラート〕０．１重量％とＮ−（２−ヒドロキシエチル）−３，３，５，５−テトラメチル−２−モルホリノン０．２重量％との組み合わせにより、黄色芳香ロウソクのロウを良好に安定化した。
【０１５９】
例１３７：
オクチル３−（ｐ−メトキシフェニル）−３−フェニル−α−シアノアクリラート０．２重量％と３，３，４，５−テトラメチル−５−（オクタデカノイルオキシメチル）−２−モルホリノン０．２重量％との組み合わせにより、赤色芳香ロウソクのロウを良好に安定化した。
【０１６０】
例２０１：３，３−ジメチル−１−オキサ−４−アザスピロ〔４．５〕デカン
トルエン３００mL中のシクロヘキサノン４５ｇ（４６０mmol）の溶液に、２−アミノ−２，２−ジメチルエタノール３５．６ｇ（４００mmol）を加えた。次に反応混合物を加熱還流し、Dean-Starkトラップで副生物である水を捕集した。１６時間加熱還流した後、反応混合物を周囲温度に冷却し、次に真空下で濃縮して、黄色の液体５５ｇを得た。質量分析（ｍ/ｚ＝１６９）により同定された生成物を収率８１．４％で得た。構造を1Ｈｎｍｒにより確認した。
1Hnmr (CDCl3) (300.08 MHz) δ 1.26 (s, 6H), 1.56-1.60 (m, 10H), 3.59 (s, 2H), 2.22 (s, 1H).
【０１６１】
例２０２：２，２，４，４−テトラメチル−１，３−オキサゾリジン
リバースDean-Starkトラップを有する５００mL三つ口フラスコに、２−アミノ−２，２−ジメチルエタノール４５ｇ（５００mmol）、アセトン４０ｇ（７００mmol）及び塩化メチレン２００mLを加えた。出発２−アミノ−２，２−ジメチルエタノールが検出されなくなくなるまで、反応混合物を１６時間加熱還流した。反応混合物を周囲温度に冷却し、次に真空下で濃縮して（２００mmHg/３０℃）、無色の液体５０ｇ（収率７７．５％）を得た。生成物を質量分析（ｍ/ｚ＝１２９）及び1Ｈｎｍｒ分析により同定した。
1Hnmr (CDCl3) (300.08 MHz) δ 1.26 (s, 6H), 1.39 (s, 6H), 3.60 (s, 2H), 2.17 (s, 1H).
【０１６２】
例２０３：２，２，１１，１１−テトラメチル−３，９−ジオキサ−ジスピロ〔４．２．４．２〕テトラデカン
トルエン２００mL中の１，４−シクロヘキサンジオン４０ｇ（３６０mmol）の溶液に、２−アミノ−２，２−ジメチルエタノール６３．５ｇ（７２０mmol）を加えた。次に反応混合物を加熱還流し、Dean-Starkトラップに副生物である水を捕集した。１６時間加熱還流した後、反応混合物を周囲温度に冷却し、次に真空下で濃縮して、褐色を帯びた湿潤固体９１ｇ（収率９８．４％）を得た。生成物を質量分析（ｍ/ｚ＝２５４）及び1Ｈｎｍｒにより同定した。
1Hnmr (CDCl3) (300.08 MHz) δ 1.22 (s, 12H), 1.69 (s, 4H), 1.83 (d, 4H), 3.53 (s, 4H).
【０１６３】
例２０４：蛍光灯曝露下でのピンク色芳香ロウソクのロウの退色
種々の異なる安定剤を蛍光灯曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000018
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２−（２−ヒドロキシ−３−α−クミル−５−tert−オクチルフェニル）−２Ｈ−ベンゾトリアゾール（TINUVIN（登録商標）928、CIBA社製）である。
Ｆは、３，３−ジメチル−１−オキサ−４−アザスピロ〔４．５〕デカン（本例２０１の化合物）である。
Ｇは、２，２，４，４−テトラメチル−１，３−オキサゾリジン（本例２０２の化合物）である。
Ｈは、２，４−ビス（２，４−ジメチルフェニル）−６−〔２−ヒドロキシ−４−（３−オクチル／ノニル／デシルオキシ−２−ヒドロキシプロポキシ）−５−α−クミルフェニル〕−ｓ−トリアジンである。
【０１６４】
これらのデータは、ＵＶ吸収剤と組み合わせたオキサゾリジン化合物（化合物Ｆ又はＧ）が、ピンク色芳香ロウソクのロウを望ましくない変色から従来の安定剤系よりもはるかに良好に保護することを示した。
【０１６５】
例２０５：ＵＶランプ曝露下でのピンク色芳香ロウソクのロウの退色
種々の異なる安定剤を、ＵＶランプ曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000019
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２，４，６−トリス（２，４−ジヒドロキシフェニル）−ｓ−トリアジンとオクチルα−ハロアセタートとの反応生成物である。
Ｆは、３，３−ジメチル−１−オキサ−４−アザスピロ〔４．５〕デカン（本例２０１の化合物）である。
Ｇは、２，２，４，４−テトラメチル−１，３−オキサゾリジン（本例２０２の化合物）である。
Ｈは、２，４−ビス（２，４−ジメチルフェニル）−６−〔２−ヒドロキシ−４−（３−オクチル／ノニル／デシルオキシ−２−ヒドロキシプロポキシ）−５−α−クミルフェニル〕−ｓ−トリアジンである。
【０１６６】
これらのデータは、ＵＶ吸収剤と組み合わせたオキサゾリジン化合物（化合物Ｆ又はＧ）が、ピンク色芳香ロウソクのロウを望ましくない変色から従来の安定剤系よりもはるかに良好に保護することを示した。
【０１６７】
例２０６：蛍光灯曝露下での灰色芳香ロウソクのロウの退色
種々の異なる安定剤を、蛍光灯曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000020
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｆは、３，３−ジメチル−１−オキサ−４−アザスピロ〔４．５〕デカン（本例２０１の化合物）である。
Ｈは、２，４−ビス（２，４−ジメチルフェニル）−６−〔２−ヒドロキシ−４−（３−オクチル／ノニル／デシルオキシ−２−ヒドロキシプロポキシ）−５−α−クミルフェニル〕−ｓ−トリアジンである。
【０１６８】
これらのデータは、ｓ−トリアジンＵＶ吸収剤と組み合わせたオキサゾリジン化合物（化合物Ｆ）が、灰色芳香ロウソクのロウを望ましくない変色から従来の安定剤系よりもはるかに良好に保護することを示した。
【０１６９】
例２０７：ＵＶランプ曝露下での灰色芳香ロウソクのロウの退色
種々の異なる安定剤を、蛍光灯曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000021
*）
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｅは、２−（２−ヒドロキシ−３−α−クミル−５−tert−オクチルフェニル）−２Ｈ−ベンゾトリアゾール（TINUVIN（登録商標）928、CIBA社製）である。
Ｇは、２，２，４，４−テトラメチル−１，３−オキサゾリジン（本例２０２の化合物）である。
【０１７０】
これらのデータは、ベンゾトリアゾールＵＶ吸収剤と組み合わせたオキサゾリジン化合物（化合物Ｇ）が、灰色芳香ロウソクのロウを望ましくない変色から従来の安定剤系よりもはるかに良好に保護することを示した。
【０１７１】
例２０８：
ジメチルｐ−メトキシベンジリデンマロナート（SANDUVOR（登録商標）PR 25）０．２重量％と３，３−ジメチル−１−オキサ−４−アザスピロ〔４．５〕デカン０．２重量％との組み合わせにより、緑色芳香ロウソクのロウを良好に安定化した。
【０１７２】
例２０９：
ジ（１，２，２，６，６−ペンタメチルピペリジン−４−イル）ｐ−メトキシベンジリデンマロナート（SANDUVOR（登録商標）PR 31）０．１重量％と２，２，４，４−テトラメチル−１，３−オキサゾリジン０．１重量％との組み合わせにより黄色芳香ロウソクのロウを良好に安定化した。
【０１７３】
例２１０：
ジメチルジ（ｐ−クロロフェニル）メチレンマロナート０．１重量％と２，２，１１，１１−テトラメチル−３，９−ジオキサ−ジスピロ〔４．２．４．２〕テトラデカン０．１重量％との組み合わせにより、赤色無香ロウソクのロウを良好に安定化した。
【０１７４】
例２１１：
ジメチルジ（ｐ−メトキシフェニル）メチレンマロナート０．２重量％と３，３−ジメチル−１−オキサ−４−オキシル−４−アザスピロ〔４．５〕デカン０．２重量％との組み合わせにより、赤色無香ロウソクのロウを良好に安定化した。
【０１７５】
例２１２：
４，４′−ジメトキシ−２，２′−ジヒドロキシベンゾフェノン０．１重量％と３，３−ジメチル−１−オキサ−４−ヒドロキシ−４−アザスピロ〔４．５〕デカン０．１重量％との組み合わせにより、赤色無香ロウソクのロウを良好に安定化した。
【０１７６】
例２１３：
４−tert−ブチルフェニル２−ヒドロキシベンゾアート０．２重量％と３，３−ジメチロール−１−オキサ−４−アザスピロ〔４．５〕デカン０．１重量％との組み合わせにより、赤色無香ロウソクのロウを良好に安定化した。
【０１７７】
例２１４：
２−エトキシ−２−エチルオキサニリド０．２重量％と２，３，３−トリメチル−１−オキサ−４−アザスピロ〔４．５〕デカン０．１重量％との組み合わせにより、黄色無香ロウソクのロウを良好に安定化した。
【０１７８】
例２１５：
３−ヒドロキシフェニルベンゾアート０．２重量％と３，３−ジ（２−ヒドロキシエチル）−１−オキサ−４−アザスピロ〔４．５〕デカン０．２重量％との組み合わせにより、黄色無香ロウソクのロウを良好に安定化した。
【０１７９】
例２１６：
ドデシル３−フェニル−３−メチル−α−シアノアクリラート０．２重量％と４−エチル−２−イソプロピルオキサゾリジン０．１重量％との組み合わせにより、青色無香ロウソクのロウを良好に安定化した。
【０１８０】
例２１７：
ドデシル３，３−ジフェニル−α−シアノアクリラート０．２重量％と１−アザ−３，７−ジオキサ−２，８−ジイソプロピル−５−エチルビシクロ〔３．３．０〕オクタン０．２重量％との組み合わせにより、青色無香ロウソクのロウを良好に安定化した。
【０１８１】
例２１８：
２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール（TINUVIN（登録商標）1130、CIBA社製）０．２重量％と３−アセチル−４，４−ジメチル−２−（３−アミル）オキサゾリジン２重量％との組み合わせにより、黄色芳香ロウソクのロウを良好に安定化した。
【０１８２】
例２１９：
２−〔２−ヒドロキシ−３−（α，α−ジメチルベンジル）−５−tert−オクチルフェニル〕−２Ｈ−ベンゾトリアゾール（TINUVIN（登録商標）928、CIBA社製）０．１重量％と３−アセチル−４−エチル−２−フェニルオキサゾリジン０．２重量％との組み合わせにより、黄色芳香ロウソクのロウを良好に安定化した。
【０１８３】
例２２０：
５−クロロ−２−（２−ヒドロキシ−３−tert−ブチル−５−メチルフェニル）−２Ｈ−ベンゾトリアゾール（TINUVIN（登録商標）326、CIBA社製）０．１重量％とＮ−（２−ヒドロキシエチル）−２，２′−ジエチル−４，４′−ジメチル−１，３−オキサゾリジン０．１重量％との組み合わせにより、赤色芳香ロウソクのロウを良好に安定化した。
【０１８４】
例２２１：
オクチル３−（ベンゾトリアゾール−２−イル）−５−tert−ブチル−４−ヒドロキシヒドロシンナマート（TINUVIN（登録商標）384、CIBA社製）０．１重量％と１−アザ−３，７−ジオキサ−２，８−ジフェニル−５−メチロールビシクロ〔３．３．０〕オクタン０．１重量％との組み合わせにより、緑色芳香ロウソクのロウを良好に安定化した。
【０１８５】
例２２２：
オクチル３−（ベンゾトリアゾール−２−イル）−５−tert−ブチル−４−ヒドロキシヒドロシンナマート（TINUVIN（登録商標）384、CIBA社製）０．１重量％と１−アザ−３，７−ジオキサ−２，８−ジ−ｎ−プロピル−５−メチロールビシクロ〔３．３．０〕オクタン０．１重量％との組み合わせにより、緑色芳香ロウソクのロウを良好に安定化した。
【０１８６】
例２２３：
２−（２−ヒドロキシ−５−tert−オクチルフェニル）−２Ｈ−ベンゾトリアゾール（TINUVIN（登録商標）329、CIBA社製）０．１重量％と３，３−ジメチル−１−オキサ−４−ヒドロキシ−４−アザスピロ〔４．５〕デカン０．１重量％との組み合わせにより、青色芳香ロウソクのロウを良好に安定化した。
【０１８７】
例２２４：
４−オクチルオキシ−２−ヒドロキシベンゾフェノン０．２重量％と３，３−ジメチル−１−オキサ−４−アザスピロ〔４．５〕デカン０．１重量％との組み合わせにより、青色芳香ロウソクのロウを良好に安定化した。
【０１８８】
例２２５：
２−エチルヘキシルｐ−メトキシシンナマート０．２重量％と２，２，４，４−テトラメチル−１，３−オキサゾリジン０．１重量％との組み合わせにより、赤色無香ロウソクのロウを良好に安定化した。
【０１８９】
例２２６：
４，４′−ジメトキシ−２，２′−ジヒドロキシベンゾフェノン０．１重量％と１−アザ−３，７−ジオキサ−２，８−ジ−ｎ−プロピル−５−メチロールビシクロ〔３．３．０〕オクタン０．１重量％との組み合わせにより、赤色無香ロウソクのロウを良好に安定化した。
【０１９０】
例２２７：
２−エトキシ−２′−エチル−５，４′−ジ−tert−ブチルオキサニリド０．１重量％と２，２，１１，１１−テトラメチル−３，９−ジオキサ−ジスピロ〔４．２．４．２〕テトラデカン０．１重量％との組み合わせにより、黄色無香ロウソクのロウを良好に安定化した。
【０１９１】
例２２８：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と３−アセチル−４，４−ジメチル−２−（３−アミル）オキサゾリジン０．１重量％との組み合わせにより、黄色無香ロウソクのロウを良好に安定化した。
【０１９２】
例２２９：
２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン０．１重量％と４−エチル−２−イソプロピルオキサゾリジン０．１重量％との組み合わせにより、青色芳香ロウソクのロウを良好に安定化した。
【０１９３】
例２３０：
２，４−ビス（２，４−ジメチルフェニル）−６−（２−ヒドロキシ−４−オクチルオキシフェニル）−ｓ−トリアジン０．２重量％と、１−アセチル−２，２，６，６−テトラメチル−４，４−（１−オキサ−２，４−ジオキソ−３−ドデシルイミノテトラメチレン）ピペリジン（TINUVIN（登録商標）440、CIBA社製）０．１重量％及び１−アザ−３，７−ジオキサ−２，８−ジ−ｎ−プロピル−５−メチロールビシクロ〔３．３．０〕オクタン０．１重量％との組み合わせにより、青色無香ロウソクのロウを良好に安定化した。
【０１９４】
例２３１：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と、ビス（１，２，２，６，６−ペンタメチルピペリジン−４−イル）セバカート（TINUVIN（登録商標）292、CIBA社製）０．１重量％及び２，２，４，４−テトラメチル−１，３−オキサゾリジン０．１重量％との組み合わせにより、青色無香ロウソクのロウを良好に安定化した。
【０１９５】
例２３２：
４−tert−オクチルフェニル２−ヒドロキシベンゾアート０．１重量％と２，２，１１，１１−テトラメチル−３，９−ジオキサ−ジスピロ〔４．２．４．２〕テトラデカン２重量％との組み合わせにより、白色無香ロウソクのロウを良好に安定化した。
【０１９６】
例２３３：
３−ヒドロキシフェニルベンゾアート０．１重量％と、オクチル３−（ベンゾトリアゾール−２−イル）−５−tert−ブチル−４−ヒドロキシヒドロシンナマート（TINUVIN（登録商標）384、CIBA社製）０．１重量％及び３，３−ジメチル−１−オキサ−４−ヒドロキシ−４−アザスピロ〔４．５〕デカン０．１重量％との組み合わせにより、白色無香ロウソクのロウを良好に安定化した。
【０１９７】
例２３４：
ドデシル３，３−ジフェニル−α−シアノアクリラート０．１重量％と、２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％及び２，２，４，４−テトラメチル−１，３−オキサゾリジン０．１重量％との組み合わせにより、黄色芳香ロウソクのロウを良好に安定化した。
【０１９８】
例２３５：
ペンタエリトリチルテトラキス〔３，３−ジフェニル−α−シアノアクリラート〕０．１重量％と３−アセチル−４−エチル−２−フェニルオキサゾリジン０．２重量％との組み合わせにより、黄色芳香ロウソクのロウを良好に安定化した。
【０１９９】
例２３６：
オクチル３−（ｐ−メトキシフェニル）−３−フェニル−α−シアノアクリラート０．２重量％と１−アザ−３，７−ジオキサ−２，８−ジフェニル−５−メチロールビシクロ〔３．３．０〕オクタン０．２重量％との組み合わせにより、赤色芳香ロウソクのロウを良好に安定化した。
【０２００】
例３０１：２，２−ペンタメチレン−５，５−ペンタメチレン−イミダゾリジン−４−オン
J. Organic Chemistry, 28, 3576 (1963)で示された手順に従って標記化合物を調製した。
【０２０１】
例３０２：蛍光灯曝露下での白色芳香ロウソクのロウの退色
種々の異なる安定剤を、蛍光灯曝露下、Candle-Lite Corporationから入手した白色芳香ロウソクのロウにおいて評価した。ΔＥ値は指定日数の曝露後の色変化を表す。低いΔＥ値は小さい色変化を示し、極めて望ましい。
2004523638.tif 000022
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２，４，６−トリス（２，４−ジヒドロキシフェニル）−ｓ−トリアジンとオクチルα−ハロアセタートとの反応生成物である。
Ｆは、２，２−ペンタメチレン−５，５−ペンタメチレン−イミダゾリジン−４−オン（本例３０１の化合物）である。
【０２０２】
これらのデータは、ＵＶ吸収剤と組み合わせたイミダゾリジン化合物（化合物Ｆ）が、白色芳香ロウソクのロウを望ましくない変色から従来の安定剤系よりもはるかに良好に保護することを示した。
【０２０３】
例３０３：ＵＶランプ曝露下での白色芳香ロウソクのロウの退色
種々の異なる安定剤を、ＵＶランプ曝露下、Candle-Lite Corporationから入手した白色芳香ロウソクのロウおいて評価した。ΔＥ値は指定日数の曝露後の色変化を表す。低いΔＥ値は小さい色変化を示し、極めて望ましい。
2004523638.tif 000023
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２，４，６−トリス（２，４−ジヒドロキシフェニル）−ｓ−トリアジンとオクチルα−ハロアセタートとの反応生成物である。
Ｆは、２，２−ペンタメチレン−５，５−ペンタメチレン−イミダゾリジン−４−オン（本例３０１の化合物）である。
【０２０４】
これらのデータは、ＵＶ吸収剤と組み合わせたイミダゾリジン化合物（化合物Ｆ）が、白色芳香ロウソクのロウを望ましくない変色から従来の安定剤系よりもはるかに良好に保護することを示した。
【０２０５】
例３０４：蛍光灯曝露下での灰色芳香ロウソクのロウの退色
種々の異なる安定剤を、蛍光灯曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000024
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｆは、２，２−ペンタメチレン−５，５−ペンタメチレン−イミダゾリジン−４−オン（本例３０１の化合物）である。
Ｇは、３，３；３，５；５，５−メチレン−ビス〔２，４−ビス（２，４−ジメチルフェニル）〕−６−〔２−ヒドロキシ−４−（３−ブチルオキシ−２−ヒドロキシプロポキシフェニル）〕−ｓ−トリアジンの混合物である。
【０２０６】
これらのデータは、ｓ−トリアジンＵＶ吸収剤と組み合わせたイミダゾリジン化合物（化合物Ｆ）が、灰色芳香ロウソクのロウを望ましくない変色から従来の安定剤系よりもはるかに良好に保護することを示した。
【０２０７】
例３０５：
ジメチルｐ−メトキシベンジリデンマロナート（SANDUVOR（登録商標）PR 25）０．２重量％と２，２−ペンタメチレン−５，５−ペンタメチレン−イミダゾリジン−４−オン−１−オキシル０．２重量％との組み合わせにより、緑色芳香ロウソクのロウを良好に安定化した。
【０２０８】
例３０６：
ジ（１，２，２，６，６−ペンタメチルピペリジン−４−イル）ｐ−メトキシベンジリデンマロナート（SANDUVOR（登録商標）PR 31）０．１重量％と２，２，５，５−テトラメチル−１−（２−ヒドロキシエチル）イミダゾリン−４−オン０．１重量％との組み合わせにより黄色芳香ロウソクのロウを良好に安定化した。
【０２０９】
例３０７：
ジメチルジ（ｐ−クロロフェニル）メチレンマロナート０．１重量％と２，２，５，５−テトラメチル−４−オキソイミダゾリン−１−オキシル０．１重量％との組み合わせにより、赤色無香ロウソクのロウを良好に安定化した。
【０２１０】
例３０８：
ジメチルジ（ｐ−メトキシフェニル）メチレンマロナート０．２重量％とビス〔２−（２，２，５，５−テトラメチル−４−オキソ−イミダゾリン−１−イル）エチル〕セバカート０．２重量％との組み合わせにより、赤色無香ロウソクのロウを良好に安定化した。
【０２１１】
例３０９：
４，４′−ジメトキシ−２，２′−ジヒドロキシベンゾフェノン０．１重量％と２，５−ジメチル−２，５−ジイソブチル−４−オキソイミダゾリン−１−オキシル０．１重量％との組み合わせにより、赤色無香ロウソクのロウを良好に安定化した。
【０２１２】
例３１０：
４−tert−ブチルフェニル２−ヒドロキシベンゾアート０．２重量％と２，２，５，５−テトラメチル−１−メチル−３−（２−ヒドロキシエチル）イミダゾリン−４−オン０．１重量％との組み合わせにより、赤色無香ロウソクのロウを良好に安定化した。
【０２１３】
例３１１：
２−エトキシ−２−エチルオキサニリド０．２重量％と（２，２，６，６−テトラメチルピペリジン−１−オキシル）−４−スピロ−２′−（４−オキソイミダゾリン−１−オキシル）−５′−スピロ−４−（２，２，６，６−テトラメチルピペリジン−１−オキシル）０．１重量％とのとの組み合わせにより、黄色無香ロウソクのロウを良好に安定化した。
【０２１４】
例３１２：
３−ヒドロキシフェニルベンゾアート０．２重量％と２，２，５，５−テトラメチル−１−メチル−３−〔Ｈ（ＯＣＨ2ＣＨ2）x〕イミダゾリン−４−オン（ここで、ｘは２〜２１である）０．２重量％との組み合わせにより、黄色無香ロウソクのロウを良好に安定化した。
【０２１５】
例３１３：
ドデシル３−フェニル−３−メチル−α−シアノアクリラート０．２重量％と２，５−ジメチル−２，５−ジエチル−４−オキソイミダゾリン−１−オキシル０．１重量％との組み合わせにより、青色無香ロウソクのロウを良好に安定化した。
【０２１６】
例３１４：
ドデシル３，３−ジフェニル−α−シアノアクリラート０．２重量％と、１：１メチルメタクリラート：エチルアクリラートコポリマーと３−ヒドロキシエチル−２，２，５，５−テトラメチルイミダゾリジン−４−オンのエステル交換反応生成物０．２重量％との組み合わせにより、青色無香ロウソクのロウを良好に安定化した。
【０２１７】
例３１５：
２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール（TINUVIN（登録商標）1130、CIBA社製）０．２重量％と、２：１メチルメタクリラート：エチルアクリラートコポリマーと３−ヒドロキシエチル−２，２，５，５−テトラメチルイミダゾリジン−４−オンのエステル交換反応生成物２重量％との組み合わせにより、黄色芳香ロウソクのロウを良好に安定化した。
【０２１８】
例３１６：
２−〔２−ヒドロキシ−３−（α，α−ジメチルベンジル）−５−tert−オクチルフェニル〕−２Ｈ−ベンゾトリアゾール（TINUVIN（登録商標）928、CIBA社製）０．１重量％と２，２−〔（１−メチル）−１，５−ペンタンジイル〕−５，５−〔（１−メチル）−１，５−ペンタンジイル〕イミダゾリジン−４−オン−１−オキシル０．２重量％との組み合わせにより、黄色芳香ロウソクのロウを良好に安定化した。
【０２１９】
例３１７：
５−クロロ−２−（２−ヒドロキシ−３−tert−ブチル−５−メチルフェニル）−２Ｈ−ベンゾトリアゾール（TINUVIN（登録商標）326、CIBA社製）０．１重量％と２，２，５，５−テトラメチル−１−メチル−３−〔ヘプタデシルカルボニル（ＯＣＨ2ＣＨ2）x〕イミダゾリン−４−オン（ここで、ｘは２〜２１である）０．１重量％との組み合わせにより、赤色芳香ロウソクのロウを良好に安定化した。
【０２２０】
例３１８：
オクチル３−（ベンゾトリアゾール−２−イル）−５−tert−ブチル−４−ヒドロキシヒドロシンナマート（TINUVIN（登録商標）384、CIBA社製）０．１重量％と２，２，５，５−テトラメチル−１−メチル−３−〔４−ヒドロキシ−３，５−ジ−tert−ブチルベンゾイル（ＯＣＨ2ＣＨ2）x〕イミダゾリン−４−オン（ここで、ｘは２〜２１である）０．１重量％との組み合わせにより、緑色芳香ロウソクのロウを良好に安定化した。
【０２２１】
例３１９：
オクチル３−（ベンゾトリアゾール−２−イル）−５−tert−ブチル−４−ヒドロキシヒドロシンナマート（TINUVIN（登録商標）384、CIBA社製）０．１重量％と２，２，５，５−テトラメチル−１−メチル−３−〔２−（ヘプタデシルカルボニルオキシエチル）〕イミダゾリン−４−オン０．１重量％との組み合わせにより、緑色芳香ロウソクのロウを良好に安定化した。
【０２２２】
例３２０：
２−（２−ヒドロキシ−５−tert−オクチルフェニル）−２Ｈ−ベンゾトリアゾール（TINUVIN（登録商標）329、CIBA社製）０．１重量％と２，２，５，５−テトラメチル−３−メチル−１−〔２−（ヘプタデシルカルボニルオキシエチル）〕イミダゾリン−４−オン０．１重量％との組み合わせにより、青色芳香ロウソクのロウを良好に安定化した。
【０２２３】
例３２１：
４−オクチルオキシ−２−ヒドロキシベンゾフェノン０．２重量％と２，２−ペンタメチレン−５，５−ペンタメチレン−イミダゾリジン−４−オン−１−オキシル０．１重量％との組み合わせにより、青色芳香ロウソクのロウを良好に安定化した。
【０２２４】
例３２２：
２−エチルヘキシルｐ−メトキシシンナマート０．２重量％と２，２−ペンタメチレン−５，５−ペンタメチレン−イミダゾリジン−４−オン０．１重量％との組み合わせにより、赤色無香ロウソクのロウを良好に安定化した。
【０２２５】
例３２３：
４，４′−ジメトキシ−２，２′−ジヒドロキシベンゾフェノン０．１重量％と、１：１メチルメタクリラート：エチルアクリラートコポリマーと３−ヒドロキシエチル−２，２，５，５−テトラメチルイミダゾリジン−４−オンのエステル交換反応生成物０．１重量％との組み合わせにより、赤色無香ロウソクのロウを良好に安定化した。
【０２２６】
例３２４：
２−エトキシ−２′−エチル−５，４′−ジ−tert−ブチルオキサニリド０．１重量％と２，２−ペンタメチレン−５，５−ペンタメチレン−イミダゾリジン−４−オン０．１重量％との組み合わせにより、黄色無香ロウソクのロウを良好に安定化した。
【０２２７】
例３２５：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と、２：１メチルメタクリラート：エチルアクリラートコポリマーと３−ヒドロキシエチル−２，２，５，５−テトラメチルイミダゾリジン−４−オンのエステル交換反応生成物０．１重量％との組み合わせにより、黄色無香ロウソクのロウを良好に安定化した。
【０２２８】
例３２６：
２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン０．１重量％と（２，２，６，６−テトラメチルピペリジン−１−オキシル）−４−スピロ−２′−（４−オキソイミダゾリン−１−オキシル）−５′−スピロ−４−（２，２，６，６−テトラメチルピペリジン−１−オキシル）０．１重量％との組み合わせにより、青色芳香ロウソクのロウを良好に安定化した。
【０２２９】
例３２７：
２，４−ビス（２，４−ジメチルフェニル）−６−（２−ヒドロキシ−４−オクチルオキシフェニル）−ｓ−トリアジン０．２重量％と、１−アセチル−２，２，６，６−テトラメチル−４，４−（１−オキサ−２，４−ジオキソ−３−ドデシルイミノテトラメチレン）ピペリジン（TINUVIN（登録商標）440、CIBA社製）０．１重量％及びビス〔２−（２，２，５，５−テトラメチル−４−オキソ−イミダゾリン−１−イル）エチル〕セバカート０．１重量％との組み合わせにより、青色無香ロウソクのロウを良好に安定化した。
【０２３０】
例３２８：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と、ビス（１，２，２，６，６−ペンタメチルピペリジン−４−イル）セバカート（TINUVIN（登録商標）292、CIBA社製）０．１重量％及び２，２，５，５−テトラメチル−１−メチル−３−〔４−ヒドロキシ−３，５−ジ−tert−ブチルベンゾイル（ＯＣＨ2ＣＨ2）x〕イミダゾリン−４−オン（ここで、ｘは２〜２１である）０．１重量％との組み合わせにより、青色無香ロウソクのロウを良好に安定化した。
【０２３１】
例３２９：
４−tert−オクチルフェニル２−ヒドロキシベンゾアート０．１重量％と２，２，５，５−テトラメチル−４−オキソイミダゾリン−１−オキシル２重量％との組み合わせにより、白色無香ロウソクのロウを良好に安定化した。
【０２３２】
例３３０：
３−ヒドロキシフェニルベンゾアート０．１重量％と、オクチル３−（ベンゾトリアゾール−２−イル）−５−tert−ブチル−４−ヒドロキシヒドロシンナマート（TINUVIN（登録商標）384、CIBA社製）０．１重量％及び２，２，５，５−テトラメチル−１−メチル−３−〔２−（ヘプタデシルカルボニルオキシルエチル）〕イミダゾリン−４−オン０．１重量％との組み合わせにより、白色無香ロウソクのロウを良好に安定化した。
【０２３３】
例３３１：
ドデシル３，３−ジフェニル−α−シアノアクリラート０．１重量％と、２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％及び２，２−〔（１−メチル）−１，５−ペンタンジイル〕−５，５−〔（１−メチル）−１，５−ペンタンジイル〕イミダゾリジン−４−オン−１−オキシル０．１重量％との組み合わせにより、黄色芳香ロウソクのロウを良好に安定化した。
【０２３４】
例３３２：
ペンタエリトリチルテトラキス〔３，３−ジフェニル−α−シアノアクリラート〕０．１重量％とビス〔２−（２，２，５，５−テトラメチル−４−オキソ−イミダゾリン−１−イル）エチル〕セバカート０．２重量％との組み合わせにより、黄色芳香ロウソクのロウを良好に安定化した。
【０２３５】
例３３３：
オクチル３−（ｐ−メトキシフェニル）−３−フェニル−α−シアノアクリラート０．２重量％と２，２−ペンタメチレン−５，５−ペンタメチレン−イミダゾリジン−４−オン０．２重量％との組み合わせにより、赤色芳香ロウソクのロウを良好に安定化した。
【０２３６】
例４０１：４−（３，５−ジメチル−４−ヒドロキシベンジル）−２，２，６，６−テトラメチル−３，５−ジケトピペラジン
米国特許第３，９６９，３１６号の例５ｅに従ってこの化合物を調製した。
【０２３７】
例４０２：１５−ｎ−オクタデシル−７，１５−ジアザジスピロ〔５．１．５．３〕ヘキサデカン−１４，１６−ジオン
米国特許第５，１２５，５１７号の例４に従ってこの化合物を調製した。
【０２３８】
例４０３：蛍光灯曝露下でのピンク色芳香ロウソクのロウの退色
種々の異なる安定剤を蛍光灯曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000025
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１−オクチルオキシ−２，２，６，６−ペンタメチルピペリジン−４−イル）セバカート（TINUVIN（登録商標）123、CIBA社製）である。
Ｅは、２−（２，４−ジブチルオキシフェニル）−４，６−ビス（２−ヒドロキシ−４−ブチルオキシフェニル）−ｓ−トリアジンである。
Ｆは、４−（３，５−ジメチル−４−ヒドロキシベンジル）−２，２，６，６−テトラメチル−３，５−ジケトピペラジン（本例４０１の化合物）である。
【０２３９】
これらのデータは、ＵＶ吸収剤と組み合わせたピペラジンジオン化合物（化合物Ｆ）が、ピンク色芳香ロウソクのロウを望ましくない変色から従来の安定剤系よりもはるかに良好に保護することを示した。
【０２４０】
例４０４：ＵＶランプ曝露下でのピンク色芳香ロウソクのロウの退色
種々の異なる安定剤を、ＵＶランプ曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000026
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｅは、２−（２，４−ジブチルオキシフェニル）−４，６−ビス（２−ヒドロキシ−４−ブチルオキシフェニル）−ｓ−トリアジンである。
Ｆは、４−（３，５−ジメチル−４−ヒドロキシベンジル）−２，２，６，６−テトラメチル−３，５−ジケトピペラジン（本例４０１の化合物）である。
Ｇは、ビス（１，２，２，６，６−ペンタメチルピペリジン−４−イル）セバカート（TINUVIN（登録商標）292、CIBA社製）である。
Ｈは、５−トリフルオロメチル−２−（２−ヒドロキシ−３−α−クミル−５−tert−オクチルフェニル）−２Ｈ−ベンゾトリアゾールである。
Ｉは、Ｃ20〜Ｃ40アルキル３−（５−クロロ−２Ｈ−ベンゾトリアゾール−２−イル）−５−tert−ブチル−４−ヒドロキシヒドロシンナマートである。
【０２４１】
これらのデータは、ＵＶ吸収剤と組み合わせたピペラジンジオン化合物（化合物Ｆ）が、ピンク色芳香ロウソクのロウを望ましくない変色から従来の安定剤系よりもはるかに良好に保護することを示した。
【０２４２】
例４０５：ＵＶランプ曝露下での灰色芳香ロウソクのロウの退色
種々の異なる安定剤を、ＵＶランプ曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000027
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１−オクチルオキシ−２，２，６，６−ペンタメチルピペリジン−４−イル）セバカート（TINUVIN（登録商標）123、CIBA社製）である。
Ｅは、２−（２，４−ジブチルオキシフェニル）−４，６−ビス（２−ヒドロキシ−４−ブチルオキシフェニル）−ｓ−トリアジンである。
Ｆは、４−（３，５−ジメチル−４−ヒドロキシベンジル）−２，２，６，６−テトラメチル−３，５−ジケトピペラジン（本例４０１の化合物）である。
Ｈは、５−トリフルオロメチル−２−（２−ヒドロキシ−３−α−クミル−５−tert−オクチルフェニル）−２Ｈ−ベンゾトリアゾールである。
【０２４３】
これらのデータは、ＵＶ吸収剤と組み合わせたピペラジンジオン化合物（化合物Ｆ）が、灰色芳香ロウソクのロウを望ましくない変色から従来の安定剤系よりもはるかに良好に保護することを示した。
【０２４４】
例４０６：蛍光灯曝露下での白色芳香ロウソクのロウの退色
種々の異なる安定剤を、蛍光灯曝露下、Candle-Lite Corporationから入手した白色芳香ロウソクのロウにおいて評価した。ΔＥ値は指定日数の曝露後の色変化を表す。低いΔＥ値は小さい色変化を示し、極めて望ましい。
2004523638.tif 000028
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｅは、２−（２，４−ジブチルオキシフェニル）−４，６−ビス（２−ヒドロキシ−４−ブチルオキシフェニル）−ｓ−トリアジンである。
Ｆは、４−（３，５−ジメチル−４−ヒドロキシベンジル）−２，２，６，６−テトラメチル−３，５−ジケトピペラジン（本例４０１の化合物）である。
Ｇは、ビス（１，２，２，６，６−ペンタメチルピペリジン−４−イル）セバカート（TINUVIN（登録商標）292、CIBA社製）である。
Ｈは、５−トリフルオロメチル−２−（２−ヒドロキシ−３−α−クミル−５−tert−オクチルフェニル）−２Ｈ−ベンゾトリアゾールである。
【０２４５】
これらのデータは、ベンゾトリアゾールＵＶ吸収剤と組み合わせたピペラジンジオン化合物（化合物Ｆ）が、白色芳香ロウソクのロウを望ましくない変色から従来の安定剤系よりもはるかに良好に保護することを示した。
【０２４６】
例４０７：ＵＶランプ曝露下での白色芳香ロウソクのロウの退色
種々の異なる安定剤を、ＵＶランプ曝露下、Candle-Lite Corporationから入手した白色芳香ロウソクのロウおいて評価した。ΔＥ値は指定日数の曝露後の色変化を表す。低いΔＥ値は小さい色変化を示し、極めて望ましい。
2004523638.tif 000029
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｅは、２−（２，４−ジブチルオキシフェニル）−４，６−ビス（２−ヒドロキシ−４−ブチルオキシフェニル）−ｓ−トリアジンである。
Ｆは、４−（３，５−ジメチル−４−ヒドロキシベンジル）−２，２，６，６−テトラメチル−３，５−ジケトピペラジン（本例４０１の化合物）である。
Ｇは、ビス（１，２，２，６，６−ペンタメチルピペリジン−４−イル）セバカート（TINUVIN（登録商標）292、CIBA社製）である。
Ｈは、５−トリフルオロメチル−２−（２−ヒドロキシ−３−α−クミル−５−tert−オクチルフェニル）−２Ｈ−ベンゾトリアゾールである。
Ｉは、２，４，６−トリス（２，４−ジヒドロキシフェニル）−ｓ−トリアジンとオクチルα−ハロアセタートとの反応生成物である。
Ｊは、１５−ｎ−オクタデシル−７，１５−ジアザジスピロ〔５．１．５．３〕ヘキサデカン−１４，１６−ジオンである。
【０２４７】
これらのデータは、ベンゾトリアゾールＵＶ吸収剤と組み合わせたピペラジンジオン化合物（化合物Ｆ又はＪ）が、白色芳香ロウソクのロウを望ましくない変色から従来の安定剤系よりもはるかに良好に保護することを示した。
【０２４８】
例４０８：
ジメチルｐ−メトキシベンジリデンマロナート（SANDUVOR（登録商標）PR 25）０．２重量％と１５−ベンジル−７，１５−ジアザジスピロ〔５．１．５．３〕ヘキサデカン−１４，１６−ジオン０．２重量％との組み合わせにより、緑色芳香ロウソクのロウを良好に安定化した。
【０２４９】
例４０９：
ジ（１，２，２，６，６−ペンタメチルピペリジン−４−イル）ｐ−メトキシベンジリデンマロナート（SANDUVOR（登録商標）PR 31）０．１重量％と４−ｎ−オクタデシル−２，２，６，６−テトラメチル−３，５−ジケトピペラジン０．１重量％との組み合わせにより黄色芳香ロウソクのロウを良好に安定化した。
【０２５０】
例４１０：
ジメチルジ（ｐ−クロロフェニル）メチレンマロナート０．１重量％と４，４′−ｎ−オクタメチレン−ビス（２，２，６，６−テトラメチル−３，５−ジケトピペラジン）０．１重量％との組み合わせにより、赤色無香ロウソクのロウを良好に安定化した。
【０２５１】
例４１１：
ジメチルジ（ｐ−メトキシフェニル）メチレンマロナート０．２重量％と１５−ｎ−オクタデシル−１，９−ジメチル−７，１５−ジアザジスピロ〔５．１．５．３〕ヘキサデカン−１４，１６−ジオン０．２重量％との組み合わせにより、赤色無香ロウソクのロウを良好に安定化した。
【０２５２】
例４１２：
４，４′−ジメトキシ−２，２′−ジヒドロキシベンゾフェノン０．１重量％と３，３，５，５−テトラメチル−４−オクチルオキシ−１−（４−ヒドロキシ−３，５−ジtert−ブチルベンジルピペラジン−２，６−ジオン）０．１重量％との組み合わせにより、赤色無香ロウソクのロウを良好に安定化した。
【０２５３】
例４１３：
４−tert−ブチルフェニル２−ヒドロキシベンゾアート０．２重量％と３，３，５，５−テトラメチル−４−アセチル−１−（４−ヒドロキシ−３，５−ジtert−ブチルベンジルピペラジン−２，６−ジオン）０．１重量％との組み合わせにより、赤色無香ロウソクのロウを良好に安定化した。
【０２５４】
例４１４：
２−エトキシ−２−エチルオキサニリド０．２重量％とテトラメチレンビス〔４−（３，３，４，５，５−ペンタメチルピペラジン−２，６−ジオン−１−イル）ブチラート〕０．１重量％との組み合わせにより、黄色無香ロウソクのロウを良好に安定化した。
【０２５５】
例４１５：
３−ヒドロキシフェニルベンゾアート０．２重量％と３，３，５，５−テトラメチル−４−ヒドロキシ−１−オクチルピペラジン−２，６−ジオン０．２重量％との組み合わせにより、黄色無香ロウソクのロウを良好に安定化した。
【０２５６】
例４１６：
ドデシル３−フェニル−３−メチル−α−シアノアクリラート０．２重量％と１，３，３，５，５−ペンタメチル−４−オキシルピペラジン−２，６−ジオン０．１重量％との組み合わせにより、青色無香ロウソクのロウを良好に安定化した。
【０２５７】
例４１７：
ドデシル３，３−ジフェニル−α−シアノアクリラート０．２重量％と３，３，４，５，５−ペンタメチル−１−（エトキシカルボニルメチル）ピペラジン−２，６−ジオン０．２重量％との組み合わせにより、青色無香ロウソクのロウを良好に安定化した。
【０２５８】
例４１８：
２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール（TINUVIN（登録商標）1130、CIBA社製）０．２重量％と（ａ）４−（３，５−ジメチル−４−ヒドロキシベンジル）−２，２，６，６−テトラメチル−３，５−ジケトピペラジン２重量％との組み合わせにより、黄色芳香ロウソクのロウを良好に安定化した。
【０２５９】
例４１９：
２−〔２−ヒドロキシ−３−（α，α−ジメチルベンジル）−５−tert−オクチルフェニル〕−２Ｈ−ベンゾトリアゾール（TINUVIN（登録商標）928、CIBA社製）０．１重量％と１５−ｎ−オクタデシル−７，１５−ジアザジスピロ〔５．１．５．３〕ヘキサデカン−１４，１６−ジオン０．２重量％との組み合わせにより、黄色芳香ロウソクのロウを良好に安定化した。
【０２６０】
例４２０：
５−クロロ−２−（２−ヒドロキシ−３−tert−ブチル−５−メチルフェニル）−２Ｈ−ベンゾトリアゾール（TINUVIN（登録商標）326、CIBA社製）０．１重量％と１５−ベンジル−７，１５−ジアザジスピロ〔５．１．５．３〕ヘキサデカン−１４，１５−ジオン０．１重量％との組み合わせにより、赤色芳香ロウソクのロウを良好に安定化した。
【０２６１】
例４２１：
オクチル３−（ベンゾトリアゾール−２−イル）−５−tert−ブチル−４−ヒドロキシヒドロシンナマート（TINUVIN（登録商標）384、CIBA社製）０．１重量％と４−ｎ−オクタデシル−２，２，６，６−テトラメチル−３，５−ジケトピペラジン０．１重量％との組み合わせにより、緑色芳香ロウソクのロウを良好に安定化した。
【０２６２】
例４２２：
オクチル３−（ベンゾトリアゾール−２−イル）−５−tert−ブチル−４−ヒドロキシヒドロシンナマート（TINUVIN（登録商標）384、CIBA社製）０．１重量％と４，４′−ｎ−オクタメチレン−ビス（２，２，６，６−テトラメチル−３，５−ジケトピペラジン）０．１重量％との組み合わせにより、緑色芳香ロウソクのロウを良好に安定化した。
【０２６３】
例４２３：
２−（２−ヒドロキシ−５−tert−オクチルフェニル）−２Ｈ−ベンゾトリアゾール（TINUVIN（登録商標）329、CIBA社製）０．１量％と１５−ｎ−オクタデシル−１，９−ジメチル−７，１５−ジアザジスピロ〔５．１．５．３〕ヘキサデカン−１４，１６−ジオン０．１重量％との組み合わせにより、青色芳香ロウソクのロウを良好に安定化した。
【０２６４】
例４２４：
４−オクチルオキシ−２−ヒドロキシベンゾフェノン０．２重量％と３，３，５，５−テトラメチル−４−オクチルオキシ−１−（４−ヒドロキシ−３，５−ジtert−ブチルベンジルピペラジン−２，６−ジオン）０．１重量％との組み合わせにより、青色芳香ロウソクのロウを良好に安定化した。
【０２６５】
例４２５：
２−エチルヘキシルｐ−メトキシシンナマート０．２重量％と３，３，５，５−テトラメチル−４−アセチル−１−（４−ヒドロキシ−３，５−ジtert−ブチルベンジルピペラジン−２，６−ジオン）０．１重量％との組み合わせにより、赤色無香ロウソクのロウを良好に安定化した。
【０２６６】
例４２６：
４，４′−ジメトキシ−２，２′−ジヒドロキシベンゾフェノン０．１重量％とテトラメチレンビス〔４−（３，３，４，５，５−ペンタメチルピペラジン−２，６−ジオン−１−イル）ブチラート〕０．１重量％との組み合わせにより、赤色無香ロウソクのロウを良好に安定化した。
【０２６７】
例４２７：
２−エトキシ−２′−エチル−５，４′−ジ−tert−ブチルオキサニリド０．１重量％と３，３，５，５−テトラメチル−４−ヒドロキシ−１−オクチルピペラジン−２，６−ジオン０．１重量％との組み合わせにより、黄色無香ロウソクのロウを良好に安定化した。
【０２６８】
例４２８：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と１，３，３，５，５−ペンタメチル−４−オキシルピペラジン−２，６−ジオン０．１重量％との組み合わせにより、黄色無香ロウソクのロウを良好に安定化した。
【０２６９】
例４２９：
２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン０．１重量％と３，３，４，５，５−ペンタメチル−１−（エトキシカルボニルメチル）ピペラジン−２，６−ジオン０．１重量％との組み合わせにより、青色芳香ロウソクのロウを良好に安定化した。
【０２７０】
例４３０：
２，４−ビス（２，４−ジメチルフェニル）−６−（２−ヒドロキシ−４−オクチルオキシフェニル）−ｓ−トリアジン０．２重量％と、１−アセチル−２，２，６，６−テトラメチル−４，４−（１−オキサ−２，４−ジオキソ−３−ドデシルイミノテトラメチレン）ピペリジン（TINUVIN（登録商標）440、CIBA社製）０．１重量％及び４−（３，５−ジメチル−４−ヒドロキシベンジル）−２，２，６，６−テトラメチル−３，５−ジケトピペリジン０．１重量％との組み合わせにより、青色無香ロウソクのロウを良好に安定化した。
【０２７１】
例４３１：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％とビス（１，２，２，６，６−ペンタメチルピペリジン−４−イル）セバカート（TINUVIN（登録商標）292、CIBA社製）０．１重量％及び１５−ｎ−オクタデシル−７，１５−ジアザジスピロ〔５．１．５．３〕ヘキサデカン−１４，１６−ジオン０．１重量％との組み合わせにより、青色無香ロウソクのロウを良好に安定化した。
【０２７２】
例４３２：
４−tert−オクチルフェニル２−ヒドロキシベンゾアート０．１重量％と１５−ベンジル−７，１５−ジアザジスピロ〔５．１．５．３〕ヘキサデカン−１４，１６−ジオン２重量％との組み合わせにより、白色無香ロウソクのロウを良好に安定化した。
【０２７３】
例４３３：
３−ヒドロキシフェニルベンゾアート０．１重量％と、オクチル３−（ベンゾトリアゾール−２−イル）−５−tert−ブチル−４−ヒドロキシヒドロシンナマート（TINUVIN（登録商標）384、CIBA社製）０．１重量％及び４−ｎ−オクタデシル−２，２，６，６−テトラメチル−３，５−ジケトピペラジン０．１重量％との組み合わせにより、白色無香ロウソクのロウを良好に安定化した。
【０２７４】
例４３４：
ドデシル３，３−ジフェニル−α−シアノアクリラート０．１重量％と、２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％及び４，４′−ｎ−オクタメチレン−ビス（２，２，６，６−テトラメチル−３，５−ジケトピペラジン）０．１重量％との組み合わせにより、黄色芳香ロウソクのロウを良好に安定化した。
【０２７５】
例４３５：
ペンタエリトリチルテトラキス〔３，３−ジフェニル−α−シアノアクリラート〕０．１重量％と１５−ｎ−オクタデシル−１，９−ジメチル−７，１５−ジアザジスピロ〔５．１．５．３〕ヘキサデカン−１４，１６−ジオン０．２重量％との組み合わせにより、黄色芳香ロウソクのロウを良好に安定化した。
【０２７６】
例４３６：
オクチル３−（ｐ−メトキシフェニル）−３−フェニル−α−シアノアクリラート０．２重量％と３，３，５，５−テトラメチル−４−オクチルオキシ−１−（４−ヒドロキシ−３，５−ジtert−ブチルベンジルピペラジン−２，６−ジオン）０．２重量％との組み合わせにより、赤色芳香ロウソクのロウを良好に安定化した。
【０２７７】
例５０１：１，３，５−トリス｛Ｎ−シクロヘキシル−Ｎ−〔２−（２，２，６，６−テトラメチル−ピペラジン−３−オン−４−イル）エチル〕アミノ｝−ｓ−トリアジン
この化合物は、Goodrite Corporationから入手した市販の安定剤GOODRITE（登録商標）3150であり、米国特許第４，５４７，５３８号で示された一般的手順により調製した。
【０２７８】
例５０２：１，３，５−トリス｛Ｎ−シクロヘキシル−Ｎ−〔２−（１，２，２，６，６−ペンタメチルピペラジン−３−オン−４−イル）エチル〕アミノ｝−ｓ−トリアジン
この化合物は、Goodrite Corporationから入手した市販の安定剤GOODRITE（登録商標）3159であり、米国特許第４，５４７，５３８号で示された一般的手順により調製した。
【０２７９】
例５０３：１，２−エタン−ビス（３，３，５，５−テトラメチルピペラジン−２−オン−１−イル）
この化合物は、Goodrite Corporationから入手した市販の安定剤GOODRITE（登録商標）3034であり、米国特許第４，５４７，５３８号で示された一般的手順により調製した。
【０２８０】
例５０４：蛍光灯曝露下でのピンク色芳香ロウソクのロウの退色
種々の異なる安定剤を蛍光灯曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000030
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２，４−ビス（２，４−ジメチルフェニル）−６−（２−ヒドロキシ−４−オクチルオキシフェニル）−ｓ−トリアジン（UV 1164、CYTEC社製）である。
Ｆは、エチル２−シアノ−３，３−ジフェニルアクリラート（UVINUL（登録商標）N-35、BASF社製）である。
Ｇは、１，３，５−トリス｛Ｎ−シクロヘキシル−Ｎ−〔２−（２，２，６，６−テトラメチルピペラジン−３−オン−４−イル）エチル〕アミノ｝−ｓ−トリアジン（GOODRITE（登録商標）3150、GOODRITE社製、例５０１の化合物）である。
Ｈは、１，２−エタン−ビス（３，３，５，５−テトラメチルピペラジン−２−オン−１−イル）（GOODRITE（登録商標）3034、GOODRITE社製、例５０３の化合物）である。
【０２８１】
これらのデータは、ＵＶ吸収剤と組み合わせたピペラジノン化合物（化合物Ｇ又はＨ）が、ピンク色芳香ロウソクのロウを望ましくない変色から従来の安定剤系よりもはるかに良好に保護することを示した。
【０２８２】
例５０５：ＵＶランプ曝露下でのピンク色芳香ロウソクのロウの退色
種々の異なる安定剤を、ＵＶランプ曝露下、Candle-Lite Corporationから入手したピンク色芳香ロウソクのロウにおいて評価した。ΔＥ値は指定日数の曝露後の色変化を表す。低いΔＥ値は小さい色変化を示し、極めて望ましい。
2004523638.tif 000031
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２，４−ビス（２，４−ジメチルフェニル）−６−（２−ヒドロキシ−４−オクチルオキシフェニル）−ｓ−トリアジン（UV 1164、CYTEC社製）である。
Ｇは、１，３，５−トリス｛Ｎ−シクロヘキシル−Ｎ−〔２−（２，２，６，６−テトラメチルピペラジン−３−オン−４−イル）エチル〕アミノ｝−ｓ−トリアジン（GOODRITE（登録商標）3150、GOODRITE社製、例５０１の化合物）である。
Ｈは、１，２−エタン−ビス（３，３，５，５−テトラメチルピペラジン−２−オン−１−イル）（GOODRITE（登録商標）3034、GOODRITE社製、例５０３の化合物）である。
【０２８３】
これらのデータは、ＵＶ吸収剤と組み合わせたピペラジノン化合物（化合物Ｇ又はＨ）が、ピンク色芳香ロウソクのロウを望ましくない変色から従来の安定剤系よりもはるかに良好に保護することを示した。
【０２８４】
例５０６：蛍光灯曝露下での灰色芳香ロウソクのロウの退色
種々の異なる安定剤を、蛍光灯曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000032
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｈは、１，２−エタン−ビス（３，３，５，５−テトラメチルピペラジン−２−オン−１−イル）（GOODRITE（登録商標）3034、GOODRITE社製、例５０３の化合物）である。
Ｉは、ビス（１−オクチルオキシ−２，２，６，６−テトラメチルピペリジン−４−イル）セバカート（TINUVIN（登録商標）123、CIBA社製）である。
【０２８５】
これらのデータは、ＵＶ吸収剤と組み合わせたピペラジノン化合物（化合物Ｈ）が、灰色芳香ロウソクのロウを望ましくない変色から従来の安定剤系よりもはるかに良好に保護することを示した。
【０２８６】
例５０７：ＵＶランプ曝露下での灰色芳香ロウソクのロウの退色
種々の異なる安定剤を、ＵＶランプ曝露下、Candle-Lite Corporationから入手した灰色芳香ロウソクのロウにおいて評価した。ΔＥ値は指定日数の曝露後の色変化を表す。低いΔＥ値は小さい色変化を示し、極めて望ましい。
2004523638.tif 000033
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｈは、１，２−エタン−ビス（３，３，５，５−テトラメチルピペラジン−２−オン−１−イル）（GOODRITE（登録商標）3034、GOODRITE社製、例５０３の化合物）である。
Ｉは、ビス（１−オクチルオキシ−２，２，６，６−テトラメチルピペリジン−４−イル）セバカート（TINUVIN（登録商標）123、CIBA社製）である。
【０２８７】
これらのデータは、ＵＶ吸収剤と組み合わせたピペラジノン化合物（化合物Ｈ）が、灰色芳香ロウソクのロウを望ましくない変色から従来の安定剤系よりもはるかに良好に保護することを示した。
【０２８８】
例５０８：蛍光灯曝露下での白色芳香ロウソクのロウの退色
種々の異なる安定剤を、蛍光灯曝露下、Candle-Lite Corporationから入手した白色芳香ロウソクのロウにおいて評価した。ΔＥ値は指定日数の曝露後の色変化を表す。低いΔＥ値は小さい色変化を示し、極めて望ましい。
2004523638.tif 000034
*）
Ａは、オクチル３−（ベンゾトリアゾール−２−イル）−５−tert−ブチル−４−ヒドロキシヒドロシンナマート（TINUVIN（登録商標）384、CIBA社製）である。
Ｂは、２−（２−ヒドロキシ−５−tert−オクチルフェニル）−２Ｈ−ベンゾトリアゾール（TINUVIN（登録商標）329、CIBA社製）である。
Ｃは、４−オクチルオキシ−２−ヒドロキシベンゾフェノン（CHIMMASORB（登録商標）81、CIBA社製）である。
Ｄは、ビス（１，２，２，６，６−ペンタメチルピペリジン−４−イル）セバカート（TINUVIN（登録商標）292、CIBA社製）である。
Ｅは、２，４−ビス（２，４−ジメチルフェニル）−６−（２−ヒドロキシ−４−オクチルオキシフェニル）−ｓ−トリアジン（UV 1164、CYTEC社製）である。
Ｇは、１，３，５−トリス｛Ｎ−シクロヘキシル−Ｎ−〔２−（２，２，６，６−テトラメチルピペラジン−３−オン−４−イル）エチル〕アミノ｝−ｓ−トリアジン（GOODRITE（登録商標）3150、GOODRITE社製、例５０１の化合物）である。
【０２８９】
これらのデータは、ＵＶ吸収剤と組み合わせたピペラジノン化合物（化合物Ｇ）が、白色芳香ロウソクのロウを望ましくない変色から従来の安定剤系よりもはるかに良好に保護することを示した。
【０２９０】
例５０９：
ジメチルｐ−メトキシベンジリデンマロナート（SANDUVOR（登録商標）PR 25）０．２重量％と７−メチル−７，１５−ジアザジスピロ〔５．１．５．３〕ヘキサデカン−１４−オン０．２重量％との組み合わせにより、緑色芳香ロウソクのロウを良好に安定化した。
【０２９１】
例５１０：
ジ（１，２，２，６，６−ペンタメチルピペリジン−４−イル）ｐ−メトキシベンジリデンマロナート（SANDUVOR（登録商標）PR 31）０．１重量％と１，３，３，５，５−ペンタメチル−４−（２−ヒドロキシエチル）−２−ケトピペラジン０．１重量％との組み合わせにより黄色芳香ロウソクのロウを良好に安定化した。
【０２９２】
例５１１：
ジメチルジ（ｐ−クロロフェニル）メチレンマロナート０．１重量％と３，３，５，５−テトラメチル−４−オクチルオキシ−１−オクチル−２−ケトピペラジン０．１重量％との組み合わせにより、赤色無香ロウソクのロウを良好に安定化した。
【０２９３】
例５１２：
ジメチルジ（ｐ−メトキシフェニル）メチレンマロナート０．２重量％と１，３，３，５，５−ペンタメチル−４−オキシル−２−ケトピペラジン０．２重量％との組み合わせにより、赤色無香ロウソクのロウを良好に安定化した。
【０２９４】
例５１３：
４，４′−ジメトキシ−２，２′−ジヒドロキシベンゾフェノン０．１重量％と３，３，４，５，５−ペンタメチル−１−（２−ヒドロキシエチル）ピペラジン−２−オン０．１重量％との組み合わせにより、赤色無香ロウソクのロウを良好に安定化した。
【０２９５】
例５１４：
４−tert−ブチルフェニル２−ヒドロキシベンゾアート０．２重量％と３，３，５，５−テトラメチル−４−シクロヘキシルオキシ−１−〔２−（ドデカノイルオキシ）エチル〕ピペラジン−２−オン０．１重量％との組み合わせにより、赤色無香ロウソクのロウを良好に安定化した。
【０２９６】
例５１５：
２−エトキシ−２−エチルオキサニリド０．２重量％とビス〔２−（４−シクロヘキシルオキシ−３，３，５，５−テトラメチル−２−ケトピペラジン−１−イル）エチル〕セバカート０．１重量％との組み合わせにより、黄色無香ロウソクのロウを良好に安定化した。
【０２９７】
例５１６：
３−ヒドロキシフェニルベンゾアート０．２重量％と４−オクチルオキシ−３，３，５，５−テトラメチル−１−オクタデシルピペラジン−２−オン０．２重量％との組み合わせにより、黄色無香ロウソクのロウを良好に安定化した。
【０２９８】
例５１７：
ドデシル３−フェニル−３−メチル−α−シアノアクリラート０．２重量％と１，３，５−トリス｛Ｎ−シクロヘキシル−Ｎ−〔２−（２，２，６，６−テトラメチルピペラジン−３−オン−４−イル）エチル〕アミノ｝−ｓ−トリアジン０．１重量％との組み合わせにより、青色無香ロウソクのロウを良好に安定化した。
【０２９９】
例５１８：
ドデシル３，３−ジフェニル−α−シアノアクリラート０．２重量％と１，３，５−トリス｛Ｎ−シクロヘキシル−Ｎ−〔２−（１，２，２，６，６−ペンタメチルピペラジン−３−オン−４−イル）エチル〕アミノ｝−ｓ−トリアジン０．２重量％との組み合わせにより、青色無香ロウソクのロウを良好に安定化した。
【０３００】
例５１９：
２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール（TINUVIN（登録商標）1130、CIBA社製）０．２重量％と１，２−エタン−ビス（３，３，５，５−テトラメチルピペラジン−２−オン−１−イル）２重量％との組み合わせにより、黄色芳香ロウソクのロウを良好に安定化した。
【０３０１】
例５２０：
２−〔２−ヒドロキシ−３−（α，α−ジメチルベンジル）−５−tert−オクチルフェニル〕−２Ｈ−ベンゾトリアゾール（TINUVIN（登録商標）928、CIBA社製）０．１重量％と７−メチル−７，１５−ジアザジスピロ〔５．１．５．３〕ヘキサデカン−１４−オン０．２重量％との組み合わせにより、黄色芳香ロウソクのロウを良好に安定化した。
【０３０２】
例５２１：
２−（２−ヒドロキシ−５−メチルフェニル）−２Ｈ−ベンゾトリアゾール（TINUVIN（登録商標）P、CIBA社製）０．１重量％と１，３，３，５，５−ペンタメチル−４−（２−ヒドロキシエチル）−２−ケトピペラジン０．１重量％との組み合わせにより赤色芳香ロウソクのロウを良好に安定化した。
【０３０３】
例５２２：
オクチル３−（ベンゾトリアゾール−２−イル）−５−tert−ブチル−４−ヒドロキシヒドロシンナマート（TINUVIN（登録商標）384、CIBA社製）０．１重量％と３，３，５，５−テトラメチル−４−オクチルオキシ−１−オクチル−２−ケトピペラジン０．１重量％との組み合わせにより、緑色芳香ロウソクのロウを良好に安定化した。
【０３０４】
例５２３：
オクチル３−（ベンゾトリアゾール−２−イル）−５−tert−ブチル−４−ヒドロキシヒドロシンナマート（TINUVIN（登録商標）384、CIBA社製）０．１重量％と１，３，３，５，５−ペンタメチル−４−オキシル−２−ケトピペラジン０．１重量％との組み合わせにより、緑色芳香ロウソクのロウを良好に安定化した。
【０３０５】
例５２４：
２−（２−ヒドロキシ−５−tert−オクチルフェニル）−２Ｈ−ベンゾトリアゾール（TINUVIN（登録商標）329、CIBA社製）０．１重量％と３，３，４，５，５−ペンタメチル−１−（２−ヒドロキシエチル）ピペラジン−２−オン０．１重量％との組み合わせにより、青色芳香ロウソクのロウを良好に安定化した。
【０３０６】
例５２５：
４−オクチルオキシ−２−ヒドロキシベンゾフェノン０．２重量％と３，３，５，５−テトラメチル−４−シクロヘキシルオキシ−１−〔２−（ドデカノイルオキシ）エチル〕ピペラジン−２−オン０．１重量％との組み合わせにより、青色芳香ロウソクのロウを良好に安定化した。
【０３０７】
例５２６：
２−エチルヘキシルｐ−メトキシシンナマート０．２重量％とビス〔２−（４−シクロヘキシルオキシ−３，３，５，５−テトラメチル−２−ケトピペラジン−１−イル）エチル〕セバカート０．１重量％との組み合わせにより、赤色無香ロウソクのロウを良好に安定化した。
【０３０８】
例５２７：
４，４′−ジメトキシ−２，２′−ジヒドロキシベンゾフェノン０．１重量％と４−オクチルオキシ−３，３，５，５−テトラメチル−１−オクタデシルピペラジン−２−オン０．１重量％との組み合わせにより、赤色無香ロウソクのロウを良好に安定化した。
【０３０９】
例５２８：
２−エトキシ−２′−エチル−５，４′−ジ−tert−ブチルオキサニリド０．１重量％と１，３，５−トリス｛Ｎ−シクロヘキシル−Ｎ−〔２−（２，２，６，６−テトラメチルピペラジン−３−オン−４−イル）エチル〕アミノ｝−ｓ−トリアジン０．１重量％との組み合わせにより、黄色無香ロウソクのロウを良好に安定化した。
【０３１０】
例５２９：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と１，３，５−トリス｛Ｎ−シクロヘキシル−Ｎ−〔２−（１，２，２，６，６−ペンタメチルピペラジン−３−オン−４−イル）エチル〕アミノ｝−ｓ−トリアジン０．１重量％との組み合わせにより、黄色無香ロウソクのロウを良好に安定化した。
【０３１１】
例５３０：
２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン０．１重量％と１，２−エタン−ビス（３，３，５，５−テトラメチルピペラジン−２−オン−１−イル）０．１重量％との組み合わせにより、青色芳香ロウソクのロウを良好に安定化した。
【０３１２】
例５３１：
２，４−ビス（２，４−ジメチルフェニル）−６−（２−ヒドロキシ−４−オクチルオキシフェニル）−ｓ−トリアジン０．２重量％と、１−アセチル−２，２，６，６−テトラメチル−４，４−（１−オキサ−２，４−ジオキソ−３−ドデシルイミノテトラメチレン）ピペリジン（TINUVIN（登録商標）440、CIBA社製）０．１重量％及び７−メチル−７，１５−ジアザジスピロ〔５．１．５．３〕ヘキサデカン−１４−オン０．１重量％との組み合わせにより、青色無香ロウソクのロウを良好に安定化した。
【０３１３】
例５３２：
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％と、ビス（１，２，２，６，６−ペンタメチルピペリジン−４−イル）セバカート（TINUVIN（登録商標）292、CIBA社製）０．１重量％及び１，３，３，５，５−ペンタメチル−４−（２−ヒドロキシエチル）−２−ケトピペラジン０．１重量％との組み合わせにより、青色無香ロウソクのロウを良好に安定化した。
【０３１４】
例５３３：
４−tert−オクチルフェニル２−ヒドロキシベンゾアート０．１重量％と３，３，５，５−テトラメチル−４−オクチルオキシ−１−オクチル−２−ケトピペラジン２重量％との組み合わせにより、白色無香ロウソクのロウを良好に安定化した。
【０３１５】
例５３４：
３−ヒドロキシフェニルベンゾアート０．１重量％と、オクチル３−（ベンゾトリアゾール−２−イル）−５−tert−ブチル−４−ヒドロキシヒドロシンナマート（TINUVIN（登録商標）384、CIBA社製）０．１重量％及び１，３，３，５，５−ペンタメチル−４−オキシル−２−ケトピペラジン０．１重量％との組み合わせにより、白色無香ロウソクのロウを良好に安定化した。
【０３１６】
例５３５：
ドデシル３，３−ジフェニル−α−シアノアクリラート０．１重量％と、２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％及び３，３，４，５，５−ペンタメチル−１−（２−ヒドロキシエチル）ピペラジン−２−オン０．１重量％との組み合わせにより、黄色芳香ロウソクのロウを良好に安定化した。
【０３１７】
例５３６：
ペンタエリトリチルテトラキス〔３，３−ジフェニル−α−シアノアクリラート〕０．１重量％と３，３，５，５−テトラメチル−４−シクロヘキシルオキシ−１−〔２−（ドデカノイルオキシ）エチル〕ピペラジン−２−オン０．２重量％との組み合わせにより、黄色芳香ロウソクのロウを良好に安定化した。
【０３１８】
例５３７：
オクチル３−（ｐ−メトキシフェニル）−３−フェニル−α−シアノアクリラート０．２重量％とビス〔２−（４−シクロヘキシルオキシ−３，３，５，５−テトラメチル−２−ケトピペラジン−１−イル）エチル〕セバカート０．２重量％との組み合わせにより、赤色芳香ロウソクのロウを良好に安定化した。
【国際公開パンフレット】
2004523638.tif 000047
2004523638.tif 000048
2004523638.tif 000049
2004523638.tif 000050
2004523638.tif 000051
2004523638.tif 000052
2004523638.tif 000053
2004523638.tif 000054
2004523638.tif 000055
2004523638.tif 000056
2004523638.tif 000057
2004523638.tif 000058
2004523638.tif 000059
2004523638.tif 000060
2004523638.tif 000061
2004523638.tif 000062
2004523638.tif 000063
2004523638.tif 000064
2004523638.tif 000065
2004523638.tif 000066
2004523638.tif 000067
2004523638.tif 000068
2004523638.tif 000069
2004523638.tif 000070
2004523638.tif 000071
2004523638.tif 000072
2004523638.tif 000073
2004523638.tif 000074
2004523638.tif 000075
2004523638.tif 000076
2004523638.tif 000077
2004523638.tif 000078
2004523638.tif 000079
2004523638.tif 000080
2004523638.tif 000081
2004523638.tif 000082
2004523638.tif 000083
2004523638.tif 000084
2004523638.tif 000085
2004523638.tif 000086
2004523638.tif 000087
2004523638.tif 000088
2004523638.tif 000089
2004523638.tif 000090
2004523638.tif 000091
2004523638.tif 000092
2004523638.tif 000093
2004523638.tif 000094
2004523638.tif 000095
2004523638.tif 000096
2004523638.tif 000097
2004523638.tif 000098
2004523638.tif 000099
2004523638.tif 000100
2004523638.tif 000101
2004523638.tif 000102
2004523638.tif 000103
2004523638.tif 000104
2004523638.tif 000105
2004523638.tif 000106
2004523638.tif 000107
2004523638.tif 000108
2004523638.tif 000109
2004523638.tif 000110
2004523638.tif 000111
2004523638.tif 000112
2004523638.tif 000113
2004523638.tif 000114
2004523638.tif 000115
2004523638.tif 000116
2004523638.tif 000117
2004523638.tif 000118
2004523638.tif 000119
2004523638.tif 000120
2004523638.tif 000121
2004523638.tif 000122
2004523638.tif 000123
2004523638.tif 000124
2004523638.tif 000125
2004523638.tif 000126
2004523638.tif 000127
2004523638.tif 000128
2004523638.tif 000129
2004523638.tif 000130
2004523638.tif 000131
2004523638.tif 000132
2004523638.tif 000133
【国際調査報告】
2004523638.tif 000134
2004523638.tif 000135
2004523638.tif 000136
2004523638.tif 000137